(57)【要約】【課題】多重変換装置を伝送システムの方式の変更に対応できるようにアップグレード可能に構成する。【解決手段】たとえば、現用系：予備系高速伝送路が１：１構成のLTEを高速伝送路とのインタフェースを担う２組の１０Gインタフェース10、低速伝送路との間の多重変換を行う対象とする高速伝送路を選択するSELH30などのユニットで構成する。このLTEを２Fiber BLSR対応のADMにアップグレードする場合には、ユニットSELHを、高速伝送間および低速伝送路との間で各タイムスロットの信号の交換を行うSWHに交換する。SELHのSWHの外部との間の信号のインタフェースを共通化すると共に、各々の信号の入出力間の遅延時間を一致させておくことにより、運用中のユニット交換によるアップグレードを可能とする。【選択図】図２
2006148979.tif 000002
【特許請求の範囲】
【請求項１】
送受一組の高速伝送路との間の信号の入出力インタフェースを担う高速伝送路インタフェースユニットと、送受一組の低速伝送路との間の信号の入出力インタフェースを担う低速伝送路インタフェースユニットと、高速伝送路上を伝送される高速信号と低速伝送路上を伝送される低速信号との間の多重／多重分離を行う多重変換ユニットと、高速伝送路上を伝送される高速信号と低速伝送路上を伝送される低速信号との間の信号の交換を行う、ユニット外部との信号のインタフェースを、前記多重変換ユニットのユニット外部との信号のインタフェースと共通化した交換ユニットとを用意し、
前記高速伝送路インタフェースユニットと、多重変換ユニットと、低速伝送路インタフェースユニットを組み合わせて構築した固定多重変換装置を、当該固定多重変換装置の前記多重変換ユニットを前記交換ユニットに取り替えることにより回線編集装置を構築することを特徴とする多重変換装置の構築方法。
【請求項２】
請求項１記載の多重変換装置の構築方法であって、
前記多重変換ユニットに、当該多重変換ユニットにおける信号の入出力信号間の遅延時間を、前記交換ユニットにおける信号の入出力信号間の遅延時間に一致させる遅延手段を備えたことを特徴とする多重変換装置の構築方法。
【請求項３】
送受一組の高速伝送路との間の信号の入出力インタフェースを担う高速伝送路インタフェースユニットと、送受一組の低速伝送路との間の信号の入出力インタフェースを担う低速伝送路インタフェースユニットと、高速伝送路上を伝送される高速信号と低速伝送路上を伝送される低速信号との間の多重／多重分離と、多重／多重分離の対象とする高速信号の選択を行う多重変換ユニットと、多重変換ユニットが多重／分離の対象とする高速信号の外部との中継を行う、前記多重変換ユニットとの間の信号のインタフェースを、前記高速伝送路インタフェースユニットと前記多重変換ユニットとの間の信号のインタフェースと共通化した中継ユニットとを用意し、
２つの前記高速伝送路インタフェースユニットと、多重変換ユニットと、複数低速伝送路インタフェースユニットを組み合わせて構築した、２組の高速伝送路を用いて伝送を行う固定多重変換装置の、一つの高速伝送路インタフェースユニットを前記中継ユニットに取り替えて、第１の要素装置とし、
一つの前記高速伝送路インタフェースユニットと、中継ユニットと、多重変換ユニットと、複数低速伝送路インタフェースユニットを組み合わせて構築した第２の要素装置を複数導入し、
前記第１の要素装置および前記複数の第２の要素装置を、前記第１の要素装置および前記複数の第２の要素装置の前記各中継ユニット間を順次接続することにより、２組以上の高速伝送路を用いて伝送を行う固定多重変換装置を形成することを特徴とする多重変換装置の構築方法。
【請求項４】
ｎ（但し、ｎは１以上の整数）組の現用系高速伝送路と送受一組の予備系高速伝送路とを用いて対地側と信号の伝送を行う多重変換装置であって、
第１番目から第ｎ番目までのn台の現用系装置と１台の予備系装置とを備え、
前記各現用系装置は、
１組の現用系高速伝送路との間の信号の入出力インタフェースを担う高速伝送路インタフェースユニットと、送受一組の低速伝送路との間の信号の入出力インタフェースを担う、複数の低速伝送路インタフェースユニットと、高速伝送路インタフェースユニットが現用系高速伝送路から受信した高速信号を多重分離し前記各低速インタフェースユニットに低速伝送路に送信すべき信号として分配し、前記各低速伝送路インタフェースユニットが低速伝送路から受信した低速信号を多重化し、現用系高速伝送路に送信すべき高速信号として前記高速伝送路インタフェースユニットに送る多重変換ユニットと、前記多重変換ユニットに接続した第１中継ユニットとを備え、
前記予備系装置は、少なくとも、
１組の予備系高速伝送路との間の信号の入出力インタフェースを担う高速伝送路インタフェースユニットと、高速伝送路インタフェースユニットに接続した第２中継ユニットとを備え、
前記予備系装置の第２中継ユニットは第1番の現用系装置の第１中継ユニット
に接続され、第ｍ番（但し、ｍは１からn-1の間の整数）の現用系装置の第１中
継ユニットは第ｍ+１番の第１中継ユニットに接続されており、
接続された前記各現用系装置の各第１中継ユニットと前記予備系装置の第２中継ユニットは、前記予備系高速伝送路の高速伝送路インタフェースユニットが前記予備系高速伝送路から受信した高速信号を、順次、任意の現用系装置の多重変換ユニットに、当該多重変換ユニットにおいて高速伝送路インタフェースで受信した高速信号に代えて多重分離の対象とすべき高速信号として中継し、任意の現用系装置の多重変換ユニットが多重化した高速信号を、前記予備系高速伝送路から送信すべき高速信号として前記予備系装置の高速伝送路インタフェースユニットに中継する転送システムを形成することを特徴とする多重変換装置。
【請求項５】
ｎ（但し、ｎは１以上の整数）組の現用系高速伝送路と送受一組の予備系高速伝送路とを用いて対地側と信号の伝送を行う多重変換装置であって、
第１番目から第ｎ番目までのn台の現用系装置と１台の予備系装置とを備え、
前記各現用系装置は、
１組の現用系高速伝送路との間の信号の入出力インタフェースを担う高速伝送路インタフェースユニットと、送受一組の低速伝送路との間の信号の入出力インタフェースを担う、複数の低速伝送路インタフェースユニットと、高速伝送路インタフェースユニットが現用系高速伝送路から受信した高速信号を多重分離し前記各低速インタフェースユニットに低速伝送路に送信すべき信号として分配し、前記各低速伝送路インタフェースユニットが低速伝送路から受信した低速信号を多重化し、現用系高速伝送路に送信すべき高速信号として前記高速伝送路インタフェースユニットに送る多重変換ユニットと、前記多重変換ユニットに接続した第１中継ユニットとを備え、
前記予備系装置は、少なくとも、
１組の予備系高速伝送路との間の信号の入出力インタフェースを担う高速伝送路インタフェースユニットと、高速伝送路インタフェースユニットに接続した第２中継ユニットとを備え、
前記予備系装置の第２中継ユニットと各現用系装置の各第１中継ユニットはリング状に順次接続されており、
リング状に接続された前記各現用系装置の各第１中継ユニットと前記予備系装置の第２中継ユニットは、前記リングに関して１回転方向に信号を転送する転送システムを形成し、当該転送システムは、前記予備系高速伝送路の高速伝送路インタフェースユニットが前記予備系高速伝送路から受信した高速信号を、任意の現用系装置の多重変換ユニットに、当該多重変換ユニットにおいて高速伝送路インタフェースで受信した高速信号に代えて多重分離の対象とすべき高速信号として中継し、任意の現用系装置の多重変換ユニットが多重化した高速信号を、前記予備系高速伝送路から送信すべき高速信号として前記予備系装置の高速伝送路インタフェースユニットに中継することを特徴とする多重変換装置。
【請求項６】
第１の対地側であるイースト側と第２の対地側であるウエスト側のそれぞれにつき、ｎ（但し、ｎは１以上の整数）組の現用系高速伝送路と送受一組の予備系高速伝送路とを用いて、対地側と信号の伝送を行う多重変換装置であって、
第１番目から第ｎ番目までのn台の現用系装置と１台の予備系装置とを備え、
前記各現用系装置は、
イースト側とウエスト側の各々送受１組の現用系高速伝送路との間の信号の入出力インタフェースを担う高速伝送路インタフェースユニットと、送受一組の低速伝送路との間の信号の入出力インタフェースを担う、複数の低速伝送路インタフェースユニットと、前記イースト側とウエスト側に関して逆側の送受２つの現用系高速伝送路間および現用高速伝送路と前記各低速伝送路との間の信号の交換を行う交換ユニットと、前記交換ユニットに接続した第１中継ユニットとを備え、
前記予備系装置は、少なくとも、
イースト側とウエスト側の各々送受１組の予備系高速伝送路との間の信号の入出力インタフェースを担う高速伝送路インタフェースユニットと、高速伝送路インタフェースユニットに接続した第２中継ユニットとを備え、
前記予備系装置の第２中継ユニットは第1番の現用系装置の第１中継ユニット
に接続され、第ｍ番（但し、ｍは１からn-1の間の整数）の現用系装置の第１中
継ユニットは第ｍ+１番の第１中継ユニットに接続されており、
接続された前記各現用系装置の各第１中継ユニットと前記予備系装置の第２中継ユニットは、前記予備系高速伝送路の高速伝送路インタフェースユニットが前記予備系高速伝送路から受信した高速信号を、順次、任意の現用系装置の交換ユニットに、当該交換ユニットにおいて高速伝送路インタフェースで受信した高速信号に代えて交換の対象とすべき高速信号として中継し、任意の現用系装置の交換ユニットが高速伝送路インタフェースに向けて交換した高速信号を、前記予備系高速伝送路から送信すべき高速信号として前記予備系装置の高速伝送路インタフェースユニットに中継する転送システムを形成することを特徴とする多重変換装置。
【請求項７】
第１の対地側であるイースト側と第２の対地側であるウエスト側のそれぞれにつき、ｎ（但し、ｎは１以上の整数）組の現用系高速伝送路と送受一組の予備系高速伝送路とを用いて、対地側と信号の伝送を行う多重変換装置であって、
第１番目から第ｎ番目までのn台の現用系装置と１台の予備系装置とを備え、
前記各現用系装置は、
イースト側とウエスト側の各々送受１組の現用系高速伝送路との間の信号の入出力インタフェースを担う高速伝送路インタフェースユニットと、送受一組の低速伝送路との間の信号の入出力インタフェースを担う、複数の低速伝送路インタフェースユニットと、前記イースト側とウエスト側に関して逆側の送受２つの現用系高速伝送路間および現用高速伝送路と前記各低速伝送路との間の信号の交換を行う交換ユニットと、前記交換ユニットに接続した第１中継ユニットとを備え、
前記予備系装置は、少なくとも、
イースト側とウエスト側の各々送受１組の予備系高速伝送路との間の信号の入出力インタフェースを担う高速伝送路インタフェースユニットと、高速伝送路インタフェースユニットに接続した第２中継ユニットとを備え、
前記予備系装置の第２中継ユニットと各現用系装置の第１中継ユニットはリング状に順次接続されており、
リング状に接続された前記第２中継ユニットと各現用系装置の第１中継ユニットは、前記リングに関して１回転方向に信号を転送する転送システムを形成し、当該転送システムは、前記予備系高速伝送路の高速伝送路インタフェースユニットが前記予備系高速伝送路から受信した高速信号を、順次、任意の現用系装置の交換ユニットに、当該交換ユニットにおいて高速伝送路インタフェースで受信した高速信号に代えて交換の対象とすべき高速信号として中継し、任意の現用系装置の交換ユニットが高速伝送路インタフェースに向けて交換した高速信号を、前記予備系高速伝送路から送信すべき高速信号として前記予備系装置の高速伝送路インタフェースユニットに中継することを特徴とする多重変換装置。
【請求項８】
請求項３記載の多重変換装置の構築方法であって、
各中継ユニットを光伝送媒体を用いて接続したことを特徴とする多重変換装置の構築方法。
【請求項９】
請求項４、５、６または７記載の多重変換装置であって、
各中継ユニット間を接続する接続媒体として光伝送媒体を用いたことを特徴とする多重変換装置。
【請求項１０】
請求項１記載の多重変換装置の構築方法であって、
前記高速伝送路のインタフェースフレーム構成として、伝送速度51.84Mb/s、
もしくは、伝送速度51.84Mb/sの倍数の伝送速度を有するSONET OC-Nフレーム構
成を用いたことを特徴とする多重変換装置の構築方法。
【請求項１１】
請求項１記載の多重変換装置の構築方法であって、
前記高速伝送路のインタフェースフレーム構成として、伝送速度155.52Mb/s、もしくは、伝送速度155.52Mb/sの倍数の伝送速度を有する、ITU勧告において規
定されたSDHハイアラーキーにおけるSTM-Nフレーム構成を用いたことを特徴とする多重変換装置の構築方法。
【発明の詳細な説明】
【技術分野】
【０００１】
本発明は、ディジタル通信網において、複数の低速伝送路と高速伝送路との間のディジタル信号の多重化及び分離を行う固定多重変換装置や、たとえば、ADM(Add Drop Multiplexer)などのクロスコネクト機能を備えた回線編集装置などの
、多重変換装置に関するものである。
【背景技術】
【０００２】
【特許文献１】特願平８−１７０３０９
【０００３】
複数の低速伝送路と高速伝送路の間の多重変換を行う多重変換装置を用いた伝送システムとしては、図１３aに示すように複数の低速伝送路より受信した低速
信号を時分割多重化し高速伝送路に高速信号として送信し、高速伝送路より受信した高速信号を複数の低速信号に多重分離し、各低速伝送路に送信する固定多重変換装置（以下、記号LTEで表す）をポイントツーポイントで接続したシステム
知られている。また、このようなLTEを用いた伝送システムにおけるセルフヒーリングを行うための構成としては、両端のLTEの間に相互に逆方向に信号を伝送する２本一組の現用系の高速伝送路と、相互に逆方向に信号を伝送する２本一組の予備系の高速伝送路を設ける１：１構成と、両端のLTEの間に相互に逆方向に信号を伝送する２本一組の現用系の高速伝送路を複数組設け、この複数組の高速伝送路に対して共用される、相互に逆方向に信号を伝送する２本一組の予備系の高速伝送路を設ける１：n構成が知られている。
【０００４】
なお、本明細書中においては、現用系をW；Working で、予備系をP；Protectionで表し、２つの他の多重変換装置の間に接続する多重変換装置については、接続する２つの他の多重変換装置のうちの一方の多重変換装置側をE；Eastで、他
方の多重変換装置側をＷ；Westで表すこととする。
【０００５】
さて、１：１、１：n構成のLTEにおいては、現用系の高速伝送路に障害が生じた場合には、信号の伝送に用いる高速伝送路を障害が生じた高速伝送路より予備系の高速伝送路に切り換えることによりセルフヒーリングを行うが、この切り替えの手法としては、図１３bに示すように、障害が生じた組の２本の高速伝送路
の両方を予備系の２本の高速伝送路に切り換えるbi-directional切り替えの手法と、図１３cに示すように障害が生じた１本の高速伝送路のみを、その高速伝送
路と同じ方向に信号を伝送する予備系の１本高速伝送路に切り換えるuni-directional切り替えの手法が知られている。
【０００６】
また、複数の低速伝送路と高速伝送路の間の多重変換を行う多重変換装置としては、図１４aに示すように、高速伝送路（E)より受信した高速信号の一部を複
数の低速信号に多分離して各低速伝送路上に送信し、高速伝送路(E側；EAST側)
より受信した高速信号の残りと、低速伝送路より受信した低速信号を時分割多重化して、他の高速伝送路（W側；WEST側)に送信するADMが知られている。
【０００７】
また、このようなADMを用いた伝送システムの構成としては、図１４bに示すようにLTEの間にADMを配置したリニア構成、図１４ｃに示すように複数のADMをリ
ング状に高速伝送路で繋いだリング構成が知られている。
【０００８】
また、リニア構成には、先に説明したLTEの１：１構成、１：ｎ構成に対応し
て、図１５aに示すように図中のE側、W側それぞれについて、逆方向に信号を伝
送する２本一組の現用系の高速伝送路と、相互に逆方向に信号を伝送する２本一組の予備系の高速伝送路を設ける１：１構成と、図１５bに示すようにE側、W側
それぞれについて、相互に逆方向に信号を伝送する２本一組の現用系の高速伝送路を複数組設け、この複数組の高速伝送路に対して共用される、相互に逆方向に信号を伝送する２本一組の予備系の高速伝送路を設ける１：n構成が知られてい
る。ここで、１：１、１:ｎ構成のリニア構成におけるADM のセルフヒーリング
の際の現用系の高速伝送路から予備系の高速伝送路への切り替えは、前述した１：１、１:ｎ構成のLTEにおける切り替えと同様な切り替えをE側、W側それぞれについて行うことにより行われる。
【０００９】
一方、 ADMをリング状に繋いだリング構成としては、各ADM間を相互に逆方向
に信号を伝送する２本一組の光ファイバ伝送路で接続する２fiber構成と、各ADM間に相互に逆方向に信号を伝送する２本一組の光ファイバ伝送路を２組設けた４fiber構成が提案されている。
【００１０】
また、４fiberのリング構成としては、図１６aに示すように各ADM間を接続す
る２組の光ファイバ伝送路のうちの一組を現用系として用い、残る一組を予備系として用いる４-Fiber BLSRが知られている。また、図１７aに示すような２fiberのリング構成としては、一回転方向に信号を伝送する光ファイバ伝送路を現用
系として用い、逆回転方向に信号を伝送する光ファイバ伝送路を予備系として用いる２-Fiber UPSRと、光ファイバ伝送路単位に現用系、予備系を設定するので
はなく、各光ファイバ伝送路上のタイムスロットの一部を現用系とし、残りのタイムスロットを予備系とする2-Fiber BLSRが知られている。
【００１１】
ここで、４-Fiber BLSR におけるセルフヒーリング時の現用系から予備系への切り替えの様子を図１６b、cに示す。図示するように、４-Fiber BLSR における障害箇所に隣接するADMが行う切り替えとしては、障害が生じた側の現用系の光
ファイバ伝送路の組から障害が生じた側の予備系の光ファイバ伝送路の組への切り替えと（ｂ）、障害箇所と逆側の現用系の光ファイバ伝送路の組から障害箇所と逆側の予備系の光ファイバ伝送路の組への信号の流れの折り返し（ｃ）の２種類がある。
【００１２】
また、図１７bに２Fiber BLSRにおけるセルフヒーリング時の現用系から予備
系への切り替えの様子を、図１７cに２fiber UPSRにおけるセルフヒーリング時
の現用系から予備系への切り替えの様子を示す。
【００１３】
図示するように、２fiber BLSRにおける切り替えは、障害箇所に隣接するADM
が、障害箇所と逆側の２つの光ファイバ伝送路の現用系のタイムスロットの信号の流れを障害箇所と逆側の２つの光ファイバ伝送路の予備系の予備系のタイムスロットに折り返すことにより行われる。なお、図１７bでは、＃１の光ファイバ
伝送路のタイムスロットA-Fと＃２の光ファイバ伝送路のタイムスロットA-Fが現用系として用いられ、＃１の光ファイバ伝送路のタイムスロットG-Lと＃２の光
ファイバ伝送路のタイムスロットG-Lが予備系として用いられている場合に、障
害箇所に隣接するADM  A、Bが、＃１の光ファイバ伝送路のタイムスロットA-Fの信号の流れを＃２の光ファイバ伝送路のタイムスロットG-Lに折り返し、＃２の
光ファイバ伝送路のタイムスロットA-Fの信号の流れを＃１の光ファイバ伝送路
のタイムスロットG-Lに折り返している。
【００１４】
また、２Fiber UPSRの切り替えは、図１７ｃに示すように行われる。すなわち、各ADMは、現用系の光ファイバ伝送路と予備系の光ファイバ光伝送路の両方を
用いて他のADMへ信号を伝送する。また、各ADMは、通常時には現用系の光ファイバ伝送路で受信した他のADMよりの信号を受け取って処理し、障害の発生によっ
て他の特定のADMから現用系の光ファイバ伝送路を介して信号を受け取れなくな
ったの場合には、予備系の光ファイバ伝送路で受信した当該他の特定のADMより
の信号を受け取って処理するようにするものである。
【００１５】
さて、以上に示したきたように、多重変換装置に要求される機能は、１：１構成に用いられるLTE、１：n構成に用いられるLTE、１：１のリニア構成に用いら
れるADM、１：nのリニア構成に用いられるADM、４Fiber BLSRに用いられる ADM
、２Fiber BLSRに用いられる ADM、２Fiber UPSRに用いられる ADMで異なる。このため、従来は、伝送システムの構成毎に、当該伝送システム構成専用の装置としてLTE やADMが制作されていた。
【発明の開示】
【発明が解決しようとする課題】
【００１６】
たとえば、運用後に伝送システムをより高度化するために、伝送システムの構成を変更したい場合がある。たとえば、伝送容量を拡大するために、１：１構成でポイントツーポイント接続したLTEを用いた伝送システムを、１：n構成でポイントツーポイント接続したLTEを用いた伝送システムに変更したい場合や、１：
１構成でポイントツーポイント接続したLTEを用いた伝送システムを、接続地点
の増加などに伴い２Fiber BLSRや４Fiber BLSRに変更したい場合などがある。
【００１７】
そして、従来は、各LTEやADMが変更前の伝送システムの構成専用の装置であるために、このような伝送システムの構成の変更の際には、LTEやADMを交換する必要があり、伝送システムの構成を変更する際の装置導入の負担は大きいという問題があった。そして、このLTEやADMを交換のために、一旦伝送システムがダウン状態、すなわち、正常に伝送を行うことができない状態に陥ってしまうことを避ることができなという問題もあった。
【００１８】
一方、近年の伝送システムの伝送容量の増加に伴い、多重変換装置の規模も大きなものとなり、たとえば、10Ｇの伝送容量を持つ光ファイバ伝送路を高速伝送路として使用するOC-192対応の多重変換装置を単一の架で構成することは困難となっている。ここで、架は多重変換装置を構成する電子基板などを収容する、電子基板間を接続するパターン配線を備えたケースであり、運搬、設置などの取り扱い上の要請より、その大きさには制限がある。このように、多重変換装置を単一の架で構成できず、複数の架で構成する場合には、架間で信号を送受する必要が生じる。しかし、架間の信号の送受には、信号の送受に電子基板上のパターンによる配線ではなく、ケーブルを使用する必要があることなどより、架内の信号送受とは異なり、信号数や信号速度の面からの制約が生じる。このため、たとえば、１：n構成のLTEなどにおいて、n本の現用系の高速伝送路と１本の予備系の
高速側伝送路を単一のセレクタに入力し、当該セレクタで前述した現用系と予備系の切り替えを実施するような構成をとることは困難である。
【００１９】
そこで、本発明は、既存の伝送システムに利用されているLTEやADMなどの多重変換装置をアップグレードすることにより、伝送システムの構成を変更することができる多重変換装置の構成方法を提供することを目的とする。
【００２０】
また、本発明は、複数の架を用いて多重変換装置を構築するのに適した構成を備えた多重変換装置を提供することを目的とする。
【課題を解決するための手段】
【００２１】
前記目的達成のために、本発明は、たとえば、送受一組の高速伝送路との間の信号の入出力インタフェースを担う高速伝送路インタフェースユニットと、送受一組の低速伝送路との間の信号の入出力インタフェースを担う低速伝送路インタフェースユニットと、高速伝送路上を伝送される高速信号と低速伝送路上を伝送される低速信号との間の多重／多重分離を行う多重変換ユニットと、高速伝送路上を伝送される高速信号と低速伝送路上を伝送される低速信号との間の信号の交換を行う、ユニット外部との信号のインタフェースを、前記多重変換ユニットのユニット外部との信号のインタフェースと共通化した交換ユニットとを用意し、  前記高速伝送路インタフェースユニットと、多重変換ユニットと、低速伝送路インタフェースユニットを組み合わせて構築した固定多重変換装置を、当該固定多重変換装置の前記多重変換ユニットを前記交換ユニットに取り替えることにより回線編集装置を構築することを特徴とする多重変換装置の構築方法を提供する。
【００２２】
このような構築方法によれば、多重変換ユニットを交換ユニットに交換するのみで、LTEなどの固定多重変換装置をADMなどの回線編集装置にアップグレードすることができ、当該アップグレードにより伝送システムの構成を変更することができる。
【００２３】
また、本発明は前記目的達成のために、たとえば、ｎ（但し、ｎは１以上の整数）組の現用系高速伝送路と送受一組の予備系高速伝送路とを用いて対地側と信号の伝送を行う多重変換装置であって、
第１番目から第ｎ番目までのn台の現用系装置と１台の予備系装置とを備え、
前記各現用系装置は、
１組の現用系高速伝送路との間の信号の入出力インタフェースを担う高速伝送路インタフェースユニットと、送受一組の低速伝送路との間の信号の入出力インタフェースを担う、複数の低速伝送路インタフェースユニットと、高速伝送路インタフェースユニットが現用系高速伝送路から受信した高速信号を多重分離し前記各低速インタフェースユニットに低速伝送路に送信すべき信号として分配し、前記各低速伝送路インタフェースユニットが低速伝送路から受信した低速信号を多重化し、現用系高速伝送路に送信すべき高速信号として前記高速伝送路インタフェースユニットに送る多重変換ユニットと、前記多重変換ユニットに接続した第１中継ユニットとを備え、
前記予備系装置は、少なくとも、
１組の予備系高速伝送路との間の信号の入出力インタフェースを担う高速伝送路インタフェースユニットと、高速伝送路インタフェースユニットに接続した第２中継ユニットとを備え、
前記予備系装置の第２中継ユニットは第1番の現用系装置の第１中継ユニット
に接続され、第ｍ番（但し、ｍは１からn-1の間の整数）の現用系装置の第１中
継ユニットは第ｍ+１番の現用系装置の第１中継ユニットに接続されており、
接続された前記各現用系装置の各第１中継ユニットと前記予備系装置の第２中継ユニットは、前記予備系高速伝送路の高速伝送路インタフェースユニットが前記予備系高速伝送路から受信した高速信号を、順次、任意の現用系装置の多重変換ユニットに、当該多重変換ユニットにおいて高速伝送路インタフェースで受信した高速信号に代えて多重分離の対象とすべき高速信号として中継し、任意の現用系装置の多重変換ユニットが多重化した高速信号を、前記予備系高速伝送路から送信すべき高速信号として前記予備系装置の高速伝送路インタフェースユニットに中継する転送システムを形成することを特徴とする多重変換装置を提供する。
【００２４】
このような多重変換装置として構成した固定多重変換装置によれば、各装置間の中継ユニット間で順次予備系の高速伝送路に送受する高速信号を中継することにより、障害が生じた現用系高速伝送路に接続した現用系装置の多重変換ユニットまで、障害が生じた現用系高速伝送路の代替えとして予備系の高速伝送路を延長することができる。したがって、各装置間の接続に必要な信号線の容量は、予備系の高速伝送路の伝送容量相当の容量で足りる。
【発明を実施するための最良の形態】
【００２５】
以下、本発明の一実施形態について説明する。
【００２６】
さて、本実施形態では、光／電気、電気／光変換などの光ファイバ伝送路との間で信号の送受を行う１０Ｇインタフェース、信号のヘッダ処理を担うSOH、高
速信号側セレクタであるSELH、高速信号側セレクタであるSELH(P)、高速信号側
スイッチであるSWH、低速信号側スイッチであるSWL、架間での信号の送受を行うPINF、低速伝送路間の信号の交換を行う低速信号側セレクタであるSELLの８種類のユニットと、低速伝送路との間のインタフェースを担う１または複数種類のユニットLINFを用意し、これらの組み合わせで各種構成の伝送システムに対応するLTEやADMなどの多重変換装置を構築する。各ユニットは架に搭載された１または複数の電子基板で構成される。
【００２７】
なお、１０ＧインタフェースとSOHは、共に光ファイバ伝送路との間のインタ
フェースを担う高速インタフェースを構成する。したがって、１０ＧインタフェースとSOHは、一つの高速インタフェースユニットとして取り扱ってもよい。
【００２８】
また、本実施形態では、図１に示すように、５段のスロットを持つ架を用いて多重変換装置を構成する。各電子基板は、架に搭載されることにより架に備えられた配線に従って接続される。ここで、本実施形態の説明中において各スロットには、COM、HS1、HS2、LS1、LS2の名称を付して示す。
【００２９】
スロットCOMには、クロック生成や電源制御や系切り替え制御や保守制御など
の処理を担う各種制御系を担う電子基板が搭載される。
【００３０】
まず、図２に、1:1構成でポイントツーポイント接続したLTEを構築した場合を示す。
【００３１】
図中aに示ように、この場合のLTEの構成は、２つの10Ｇインタフェースユニット１０a、bと、２つのSOHユニット20a、bと、２重化された２つのSELＨユニット30a、bと、二重化された複数組のSELLユニット40a、bと、２重化された複数組のLIFユニット50a、bによって構成される。また、図bには、各ユニットが搭載される架のスロットも示した。
【００３２】
このような構成のLTEにおいて、正常運用時には、10Gの伝送速度で信号を伝送する現用系の光ファイバ伝送路１００aから受信された光信号は現用系(W)の１０Gインタフェース１０aで受信され電気信号に変換された後、現用系のSOH２０aに送られ、所定のヘッダ処理が行われ、現用系のSELH30aに送られる。この信号は
、現用系のSELH30aを介して現用系のSEL40aに送られ、多重分離され各タイムス
ロットの信号が各信号の送り先に応じた現用系の各LIF５０aに送られる。各現用系の各LIF５０aは、送られた信号を低速信号に変換して低速伝送路３００に送信する。
【００３３】
また、これとは逆に、各現用系の各LIF５０aが低速伝送路300から受信した信
号は、現用系のSELL40ａで時分割多重化され、現用系のSELH30aに送られ、現用
系のSOH20a、予備系のSO２０bの双方に送られてヘッダ処理され、現用系の１０Gインタフェース部１０ａ，予備系の１０Ｇインタフェース部１０ｂ送られ、光信号に変換された後、各々現用系の送信側光ファイバ伝送路１００ａと予備系の送信側光ファイバ伝送路２００ａに送信される。すなわち、現用系と予備系の送信側光ファイバ伝送路１００ｂ、200ｂには低速伝送路３００から受信した信号を
時分割多重化した同じ信号が送信される。したがって、実際には、通常動作時においても、各ＬＴＥは、現用系の光ファイバ伝送路１００ａと予備系の光ファイバ伝送路２００ｂから全く同じ信号を受信している。また、この信号は、予備系のSOH20bでヘッダ処理され、現用系と予備系のSELHに入力している。
【００３４】
さて、このような構成において、現用系のある光ファイバ伝送路に障害が生じた場合には、当該光ファイバ伝送路から信号を受信しているLTEにおいて次のよ
うな切り替え処理を行う。
【００３５】
すなわち、現用系のSELH３０aにおいて、現用系のSOH20aから受信した信号に
代えて予備系のSOHから受信した信号を選択し現用系のSELL40aに送る。前述したように、現用系の光ファイバ伝送路１００ａと予備系の光ファイバ伝送路２００ｂから全く同じ信号を受信しているので、これで先に図１３ｂに示した現用系、予備系の切り替えが完了する。
【００３６】
さて、いま、このような１：１構成のLTEを、2Fiber BLSRのADM、2FIber UPSR のADMにグレードアップする場合について説明する。
【００３７】
ここで、2Fiber BLSRのADM、2FIber UPSR のADMは同じ構成で実現することが
できる。図３aに、このADMの構成を、図３bに、各ユニットが搭載される架を示
す。
【００３８】
図より、理解されるように、この場合のADMへのグレードアップは、図１に示
したLTEの構成中の二重化された２つのSELH30a 、30bを、二重化された２つのSWH60ａ、60ｂに交換し、LTEの構成中の二重化された２つのSELL40a、40bを二重化された２つのSWL70a、70bに交換することにより実現される。ここで、SELHと、
ＳＷＨは、架との信号線のインタフェースが共通化されており、SELHを構成する電子基板を架より取り外し、SWHを構成する電子基板を架に搭載することにより
両者は交換することができる。
【００３９】
さて、２Fiber UPSRの ADMの動作は、次のようになる。
【００４０】
いま、Ｗ側の光ファイバ伝送路１１０ａとE側の光ファイバ伝送路１２０ａが
現用系であり、Ｗ側の光ファイバ伝送路１１０ｂとE側の光ファイバ伝送路１２
０ｂが予備系であるとすると、通常時、W側光ファイバ伝送路１１０ａから入力
した各タイムスロットの信号は、１０Ｇインタフェース１０ａ、SOH２０ａを介
してSWH60aに入力し 、各タイムスロットの信号の宛先に応じてSWL70aと、SOH２０ｂに交換される。そして、SWL70aに送られた各信号はLIF50ａに交換される。
また、LIF50ａからの信号は、SWL70a を介して、SWH60a に入力し、SOH２０ａ、２０ｂに交換される。また、SWH60a には、１０Ｇインタフェース１０ｂ、SOH20bを介してE側の光ファイバ伝送路１２０ｂからの信号も入力しており、SWH60aは、各タイムスロットの信号を、その宛先に応じてSOH２０ｂに交換する。SOH20a 、20b に、SELＨ６０ａから交換された信号は、各々１０Ｇインタフェース１０
ａ、１０ｂに送られ、光ファイバ伝送路１１０ｂ、１２０ａに送信される。
【００４１】
このような構成において、たとえば、障害が生じ、現用系の光ファイバ伝送路より構成されるリング上の信号の流れに関して障害箇所より上流にあるADMより
の信号をW側の光ファイバ伝送路１１０ａより受信できなくなった場合、ADMのSWH60aは、これら障害箇所より上流にあるADMよりの信号については、SOH20a から受け取った信号に代えて、SOH２０ｂから受け取った信号を、SWLへの交換の対象とする。
【００４２】
このような動作を各ADMが実施することにより図１７ｃに示したセルフヒーリ
ングが実現される。
【００４３】
次に、２Fiber BLSRの場合の図３の構成を備えたADMの動作は次のようになる
。
【００４４】
すなわち、伝送路間の各信号の流れがより明確となるようにSWH６０ａの動作
と伝送路間の各信号の流れの関係を中心に、他部の動作を省略して説明すると、通常時は、ADMおいて、両側の受信側光ファイバ伝送路１１０a、1２０ｂから入
力した信号は、SWH６０ａに入力する。入力した信号のうちの現用系のタイムス
ロットの信号は、SWH６０ａによって、低速伝送路、もしくは、光ファイバ伝送
路１１０ｂ，１２０ａの現用系のタイムスロットに交換される。また、低速伝送路から入力した信号は、SWH60aによって、光ファイバ伝送路１１０ｂ，１２０ａの現用系のタイムスロットに交換される。また、両側の受信側光ファイバ伝送路１１０a、1２０ｂから入力した予備系のタイムスロットの信号は、SWH60a によ
って、反対側の光ファイバ伝送路１１０ｂ，１２０ａ、１２０ｂ、１１０ａの予備系のタイムスロットに中継される。
【００４５】
一方、セルフヒーリング時は、障害が生じた現用系の光ファイバ伝送路に隣接する２つのADMにおいて、SWH60a は、予備スロット間の信号の中継を取りやめ、障害が生じた現用系の光ファイバ伝送路の現用系のタイムスロットに交換していた信号を、障害が生じた現用系の光ファイバ伝送路と反対方向に当該ADMからの
信号を伝送する光ファイバ伝送路の予備系のタイムスロットに交換するようにする。また、障害が生じた現用系の光ファイバ伝送路の現用系のタイムスロットから受信した信号に代えて、障害が生じた現用系の光ファイバ伝送路と反対方向に信号を当該ADMに伝送する光ファイバ伝送路の予備系のタイムスロットから受信
した信号を、低速伝送路および障害が生じた現用系の光ファイバ伝送路と反対方向に当該ADMからの信号を伝送する光ファイバ伝送路の現用系のタイムスロット
への交換の対象とするようにする。
【００４６】
この動作によって、図１７ｂに示したセルフヒーリング時の切り替え動作が実現される。
【００４７】
次に、図２に示した１：１構成のLTEを、１：ｎ構成のLTEにアップグレードする場合について説明する。
【００４８】
図４aに１：ｎ構成のLTEの構成を、図４ｂに各ユニットが搭載される架を示す。
【００４９】
図示するように、この場合のLTEは、予備系の光ファイバ伝送路２００ａ、ｂ
が接続された１個の予備系処理用の架と、各々一つの現用系の光ファイバ伝送路100ａ、１００ｂ，１１０ａ、１１０ｂ、...、１ｎ０ａ、1n0bが接続されたｎ個の現用系処理用の架で構成される。
【００５０】
また、各架は１：ｎ構成のLTEの機能的な単位であるベイを構成している。ｎ
個の現用系処理用のベイ310、320...は、図１に示した１：１構成のLTEから、予備系の１０Ｇインタフェース１０ｂを取り外し、予備系のSOH20bをPINF80に交換した構成となっている。また、予備系処理用のベイ300は、現用系処理用の架の
二重化された２つのSELHを二重化された２つのSELH（Ｐ）90に置き換えた構成となっている。
【００５１】
ここで、SOH20を構成する各電子基板とPINF80を構成する各電子基板の、架と
の信号線のインタフェースは共通化されており、SOH20を構成する電子基板を架
より取り外し、PINF80を構成する電子基板を架に搭載することにより両者は交換することができる。また、SELH30を構成する各電子基板とSELH(P)90を構成する
各電子基板の、架との信号線のインタフェースは共通化されており、SELH30を構成する電子基板を架より取り外し、SELH(P)90を構成する電子基板を架に搭載す
ることにより両者は交換することができる。本実施形態では、１：１構成のLTE
を現用系処理系のベイの一つにアップグレードし、１：ｎ構成のＬＴＥを構成する他のベイは新たに導入することにより、１：１構成のLTEを１：ｎ構成のＬＴ
Ｅにアップグレードする。
【００５２】
さて、図４のLTEにおける現用系処理系の各ベイの通常時の動作は、前述した
１：１構成のLTEの動作と同様であり、各々、接続した現用系の光ファイバ伝送
路と低速伝送路との間の多重変換を行う。ただし、１：ｎ構成のLTEにおいて、
通常時は予備系の光ファイバ伝送路２００ａ、２００ｂへの信号の送信は行わない。
【００５３】
さて、このような構成において、たとえば、現用系のベイ３２０に接続した受信側の光ファイバ伝送路１１０ａに障害が発生した場合を考える、この場合、予備系処理用のベイ300のSELH(P)90は、１０Ｇインタフェース１０、SOH20を介し
て受信した予備系の光ファイバ伝送路２００ｂからの信号をPINF80に送る。この信号は、PINF80で、たとえば各々１５０Ｍの低速な信号に変換された後、架間を接続する光インターコネクトを介して、ベイ３１０のPINF80に送られる。ベイ３１０のPINF80はベイ３００から送られた信号をベイ３２０のPINFに中継する。ベイ３２０のPINF80はベイ３１０から送られた信号をSELH30に送信する。ベイ３２０のSELH30は、SOH20から送られた信号に代えてPINF80から送られた信号を選択
してSELL40に送る。
【００５４】
また、これとは逆に、現用系のベイ３２０に接続した送信側の光ファイバ伝送路１２０ｂに障害が発生した場合、ベイ３３０のSELH30は、SOH20に代えてPINF80に信号を送る。この信号を、PINF90は、ベイ３１０のPINF90に送る。ベイ３１
０のPINF8０はベイ３２０から送られた信号をベイ３００に中継する。この信号
を受け取ったベイ３００のPINF80は、この信号をシリアル信号に変換して、SELH(P)90に送る。SELH(P)90は、PINF80から送られた信号をSOH20に送る。この信号
は、予備系の光ファイバ伝送２００ｂから送信する。
【００５５】
すなわち、PINF80によって、予備系の光ファイバ伝送路が、障害が生じた現用系の光ファイバ伝送路に接続する現用処理系のベイまで延長される構成となっている。
【００５６】
以上の動作を、障害が生じた現用系の光ファイバ伝送路の両端のLTEが行うこ
とにより、図１３ｂのuni direction切り替えが実現される。
【００５７】
また、図１３ｃのbi direction切り替えは、同じ現用系処理用のベイに接続した送信側、受信側双方の光ファイバ伝送路に障害が生じた場合のuni direction
切り替えと同じ動作にって実現される。
【００５８】
ただし、図５に示すように、各ベイのPINF80をリング状の接続する構成によって、bi diretion切り替えを実現するようにしてもよい。
【００５９】
この構成では、PINF80による予備系の受信側光ファイバ伝送路の、障害が生じた現用系の光ファイバ伝送路に接続する現用処理系のベイまで延長と、PINF80による予備系の送信側光ファイバ伝送路の、障害が生じた現用系の光ファイバ伝送路に接続する現用系処理用のベイまで延長は異なる経路を用いて行われる。たとえば、図示するように、予備系の受信側光ファイバ伝送路200ａのベイ３２０ま
での延長はベイ３００、３１０のPINF80を介して行うが、予備系の送信側光ファイバ伝送路200ｂのベイ３２０までの延長はベイ320、330...3ｎ0、300のPINF80
を介して行う。
【００６０】
このリング状の構成は、各架間を接続する信号線数を少なく押さえられるなど、ハードウェアウエア量が少なく押さえられるという利点がある。
【００６１】
次に、図３に示した、2Fiber BLSRのADM、2FIber UPSR のADMを、４Fiber BLSRのADMにアップグレードする場合について説明する。
【００６２】
この場合のADMの構成を図６aに、各ユニットが搭載される架を図６ｂに示す。
【００６３】
図示するように、この場合のADMは、現用系の光ファイバ伝送路1１0ａ、ｂ１
２０ａ、ｂが接続された現用系処理用の架と、予備系の光ファイバ伝送路２００ａ、ｂ、２１０ａ、ｂが接続された予備系処理用の架で構成される。各架に相当するベイは、図３に示した2Fiber BLSRのADM、2FIber UPSR のADMと同じ構成で
ある。したがって、この場合のアップグレードは、たとえば、既設の2Fiber BLSRまたは2FIber UPSR のADMを４Fiber BLSRのADMの一つのベイとし、新たにもう
一つの同構成のベイを導入し、両者のSWH60a、 60b間を光インターコネクトで接続することにより行う。なお、2Fiber BLSRまたは2FIber UPSR のADMに１：１構成のLTEをアップグレードできることよりも理解されるように、１：１構成のLTEを４Fiber BLSRのADMにアップグレードすることも可能である。
【００６４】
さて、図６のADMの動作は次のようになる。
【００６５】
すなわち、伝送路間の各信号の流れがより明確となるようにSWH６０ａの動作
と伝送路間の各信号の流れの関係を中心に、他部の動作を省略して説明すると、通常時は、現用系のベイ４００において、両側の受信側光ファイバ伝送路１１０a、1２０ｂから入力した信号は、SWH６０ａに入力する。入力した各タイムスロ
ットの信号は、SWH６０ａによって、低速伝送路、もしくは、反対側の光ファイ
バ伝送路１１０ｂ，１２０ａのタイムスロットに交換される。また、低速伝送路から入力した信号は、SWH60aによって、光ファイバ伝送路１１０ｂ，１２０ａのタイムスロットに交換される。
【００６６】
また、予備系処理用のベイ４１０のSWH60aは、光ファイバ伝送路２００aから受
け取った信号を、そのまま光ファイバ伝送路２１０ａに中継し、光ファイバ伝送路２10ｂから受け取った信号を、そのまま光ファイバ伝送路２１０ｂに中継する。
【００６７】
セルフヒーリング時、たとえば、E側の現用系の光ファイバ伝送路１２０a、120bに障害が生じた場合には、現用系処理用のベイ４００のSWH６０aは、 現用系
の光ファイバ伝送路１２０aに向かって交換していた信号を予備系処理用のベイ
４１０のSWH60aに送る。また、現用系の光ファイバ伝送路１２０ｂから受け取っていた信号に代えて、予備系処理用のベイ４１０から受け取った信号を交換の対象とするようにする。一方、予備系処理用のベイ４１０のＳＷＨ６０ａは、前述した予備系の光ファイバ伝送路間の中継動作を取りやめ、図１６bに示した切り
替えを行う場合には、ベイ４００から受け取った信号を、光ファイバ伝送路２00ｂに交換し、光ファイバ伝送路２00ａから受け取った信号をベイ４００のSWH60
に送る。また、予備系処理用のベイ４１０のＳＷＨ６０ａは、前述した予備系の光ファイバ伝送路間の中継動作を取りやめ、図１６ｃに示した切り替えを行う場合には、ベイ４００から受け取った信号を、光ファイバ伝送路２1０ａに交換し
、光ファイバ伝送路２10ｂから受け取った信号をベイ４００のSWH60に送る。
【００６８】
以上の動作を、障害箇所に隣接するADMが実施することにより、図１６ｂ、ｃ
に示したセルフヒーリングが実現される。
【００６９】
次に、図３に示した、2Fiber BLSRのADM、2FIber UPSR のADMを、１：１のリ
ニア構成のADMにアップグレードする場合について説明する。
【００７０】
この場合のADMの構成を図７aにに示す。
【００７１】
図示するように、この場合のADMは図６に示した４Fiber BLSRの場合のADMの構成と同じとなる。したがって、アップグレードも同様なユニットの交換によって行うことができる。また、前述したように、この構成は、１：１構成のLTEをア
ップグレードすることにより構成することも可能である。
【００７２】
また、その通常時の動作も、４Fiber BLSRの場合と同様である。また、図１５ｂに示したセルフヒーリング時の動作は、４Fiber BLSRの場合において、図１６ｂの切り替えの動作を行う場合と同様である。
【００７３】
最後に、１：ｎのリニア構成をとるADMにアップグレードする場合について説
明する。
【００７４】
この場合のADMの構成を図８に示す。
【００７５】
図示するように、この場合のADMは、図７aに示した１：１のリニア構成のADM
を構成する架の一方の２つの１０Gインタフェース１０a、ｂを省略し、２つのSOH20ａ、ｂを、２つのPINF80a 、ｂに交換した構成の架をイーストベイ810、残る一方の架をウエストベイ811とした、イーストベイ、ウエストベイの組であるベ
イセット800〜80ｎを、予備系用一個と、現用系n組の計１+ｎ個設け、各ベイセ
ットのPINF80a 、ｂを、予備系用のベイセット800が端となるようにチェイン状
に順次接続した構成を有している。
【００７６】
したがって、このADMの複数のベイセットのうちの一つは１：１のリニア構成
のADMを利用して構築することができる。また、図８aより理解されるように、各イーストベイは、１：ｎ構成のLTEの各ベイの１０Ｇインタフェースを省略し、SELHをSWHに、SOHをPINFに、SELLをSWLに交換し、交換したPINFを順次接続した構成となっている。したがって、１：ｎのリニア構成のADMは、１：ｎ構成のLTEからアップグレードすることもできる。
【００７７】
さて、予備系のベイセット800には、イースト側、ウエスト側各々につき、送
受各一本の予備系の光ファイバ伝送路が接続する。また、現用系のｎ個のベイセット801〜80ｎの各々は、イースト側、ウエスト側各々につき、送受各一本の現
用系の光ファイバ伝送路が接続する。
【００７８】
通常時、各現用系のベイセット800のウエストベイが、前述した１：１のリニ
ア構成のADMの現用系のベイの動作と同じ動作を行う。これにより、n本の現用系伝送路を用いたADM 間もしくはADMとLTE  間の伝送が実現される。
【００７９】
一方、セルフヒーリング時、たとえば、２番目の現用系用のイベイセットのウエスト側光ファイバ伝送路に障害が生じた場合は、前述した１：ｎ構成のLTEの
場合と同様に、予備系用のベイセットのウエストベイの１０Ｇインタフェース、SOH、ＳＷＨ、予備系用のベイセットのイーストトベイのSWH、PINF、１番目の現用系ベイセットのイーストベイのPINF、２番目の現用系のベイセットのイーストベイの現用系のPINF、SWHの順に２番目の現用系のベイセットのウエストベイのSWHの順に信号を中継することにより、ウエスト側の予備系光ファイバ伝送路が２番目の現用系のベイセットのウエストベイのSWHまで延長される。そして、２番
目の現用系のベイセットのウエストベイのSWHよって、障害が生じたウエスト側
光ファイバ伝送路の代わりに用いられる。
【００８０】
このような動作を障害が生じた光ファイバ伝送路の両端のADMが行うことによ
り、現用系光ファイバ伝送路から予備系光ファイバ伝送路への切り替えが実現される。
【００８１】
なお、図８における各ベイセットの接続を、先に図５に示した1:n構成のLTEのように、リング状に行うようにし、予備系の光ファイバ伝送路の各ベイセットへの延長を、リングの上を一回転方向にのみ信号を中継することにより行うようにしてもよい。たとえば、２番目の現用系用のイベイセットのウエスト側光ファイバ伝送路に障害が生じた場合は、前述した１：ｎ構成のLTEの場合と同様に、予
備系用のベイセットのウエストベイの１０Ｇインタフェース、SOH、ＳＷＨ、予
備系用のベイセットのイーストトベイのSWH、PINF、１番目の現用系ベイセット
のイーストベイのPINF、２番目の現用系のベイセットのイーストベイの現用系のPINF、SWHに、２番目の現用系のベイセットのウエストベイのSWHの順に信号を転送することにより、ウエスト側の受信側の予備系光ファイバ伝送路を２番目の現用系のベイセットのウエストベイのSWHまで延長する。また、２番目の現用系の
ベイセットのウエストベイの現用系のSWH、２番目の現用系のベイセットのイー
ストベイの現用系のSWH、PINF、３番目の現用系のベイセットのイーストベイの
現用系のPINF、...、ｎ番目の現用系のベイセットのイーストベイの現用系のPINF、予備系用のベイセットのイーストトベイのPINF、SWH、予備系用のベイセットのウエストベイのSWH、SOH、１０Ｇインタフェースの順に信号を中継することにより、ウエスト側の送信側の予備系光ファイバ伝送路を２番目の現用系のベイセットのウエストベイの現用系のSWHまで延長する。
【００８２】
以上のように、本実施形態によれば、既存の多重変換装置の構成を利用しながら、多重変換装置のアップグレードが可能である。また、先に示してきたように、１：１構成のＬＴＥ、2Fiber BLSR／2FIber UPSR のADMの各ユニットの構成は全て二重化されている。従って、アップグレードの際には
、二重化された２つの系統の片方の系統づつ必要なユニットの交換を行い、交換中は他方の系統を使用することによって伝送システムの運用を継続することができる。
【００８３】
ただし、前述したSELH、SELH(P)、SWHにおける処理のために生じるSELH、SELP、SWHの入出力信号の間の遅延時間に差があると、この使用する系統の切り替え
時に信号の喪失や重複などの不具合が生じてしまうことになる。
【００８４】
そこで、本実施形態では、図９ａに示すようにSELHを構成し、図９ｂに示すようにSELH(P)を構成することにより、これらのユニットにおける遅延時間を一致
させている。
【００８５】
ここで、SWHのようなタイムスロット信号の交換を行うスイッチは、図１０に
示すような、メモリ900と、入来する各タイムスロットの信号をシーケンシャル
にメモリに書き込む書き込み回路901と、図示しない制御装置から設定された順
序でメモリから各タイムスロットの信号を読み出す読み出し回路902とによって
信号のタイムスロットの交換を行っている。このため、通常はタイムスロット番号数分相当の時間以上の遅延時間が生じる。この遅延時間は、SELHや、SELＨ（
Ｐ）などのような選択動作を行うセレクタにおける遅延時間よりも一般に大きい。
【００８６】
そこで、本実施形態では、図９に示すように、SELH、SELH(P)に信号の遅延時
間を調整するための遅延回路３00を設けた。遅延回路３00は、図１１に示すように、入来する各タイムスロットの信号を書き込むメモリ３０１のアドレスをシーケンシャルに生成するシーケンシャルカウンタ３０２と、シーケンシャルカウンタのカウント値に調整したい時間分のオフセットを加えて読み出しアドレスとするデコーダ303より構成される。このような遅延回路300によれば、信号をメモリに書き込んでから読み出すまでの時間をデコーダ303が加えるオフセット値を適
当に設定することにより調整することができる。
【００８７】
なお、図９ａにおいて、３１０が、現用系のSOHから送られた信号と、予備系
のSOHまたはPINFから信号とのどちらを、SELLに送るのかを選択するセレクタで
ある。
【００８８】
また、図９ｂにおいて、３２０が、PINFから送られてきた信号を予備系の光ファイバー伝送路に送るためのセレクタである。
【００８９】
なお、図９に示したSELH、SELH(P)としては、図１２に示すような３つのセレ
クタ331、332、333を備えたユニットを共用して用いることができる。この場合
、SELH(P)として用いる場合には、セレクタ３０１、３０２の選択は図９ｂと同
じ信号の流れを形成するように固定化し、SELHとして用いる場合は、セレクタ３０２、３０３の選択は図９ａと同じ信号の流れを形成するように固定化する。
【００９０】
なお、本実施形態に係る光ファイバ伝送路のインタフェースフレームの構成としては、伝送速度51.84Mb/s、もしくは、伝送速度51.84Mb/sの倍数の伝送速度を有するSONET OC-Nフレーム構成や、伝送速度155.52Mb/s、もしくは、伝送速度155.52Mb/sの倍数の伝送速度を有する、ITU勧告において規定されたSDHハイアラーキーにおけるSTM-Nフレーム構成を用いることができる。
【００９１】
以上説明してきたように、本実施形態によれば、既存の多重変換装置の構成を利用しながら多重変換装置をアップグレードすることができる。
【００９２】
また、先に示した１：ｎ構成のＬＴＥの場合のように、複数の架で多重変換装置を構成し、現用系、予備系の切り替えを行う場合に、架間で送受する必要のある信号の容量を比較的低く押さえることができる。
【００９３】
以上のように、本発明によれば、既存の伝送システムに利用されているLTEやADMなどの多重変換装置をアップグレードすることにより、伝送システムの構成変更することができる多重変換装置の構成方法を提供することができる。
【００９４】
また、本発明は、複数の架を用いて多重変換装置を構築するのに適した構成を備えた多重変換装置を提供することができる。
【図面の簡単な説明】
【００９５】
【図１】多重変換装置に用いる架の構成を示した図である。
【図２】１：１構成のLTEの構成を示した図である。
【図３】2Fiber UPSR / BLSRに適用されるADMの構成を示した図である。
【図４】１：ｎ構成のLTEの構成を示した図である。
【図５】１：ｎ構成のLTEの構成を示した図である。
【図６】４Fiber BLSRに適用されるADMの構成を示した図である。
【図７】１：１のリニア構成のADMの構成を示した図である。
【図８】１：ｎのリニア構成のADMの構成を示した図である。
【図９】SELHユニット、SELH(P)ユニットの構成を示した図である。
【図１０】メモリを用いてタイムスロットの交換を行う回路の構成を示した図である。
【図１１】遅延回路の構成を示した図である。
【図１２】SELHユニット、SELH(P)ユニットとして共用できるユニットの構成を示した図である。
【図１３】LTEを用いた伝送システムの構成を示した図である。
【図１４】ADMを用いた伝送システムの構成を示した図である。
【図１５】LTEにおける高速伝送路の現用系から予備系への切り替えのようすを示した図である。
【図１６】４Fiber BLSRにおける高速伝送路の現用系から予備系への切り替えのようすを示した図である。
【図１７】２Fiber UPSRと２Fiber BLSRにおける高速伝送路の現用系から予備系への切り替えのようすを示した図である。
【符号の説明】
【００９６】
10  10Ｇインタフェースユニット
20  SOHユニット
30  SELＨユニット
40  SELLユニット
50  LIFユニット
60  SWHユニット
70  SWLユニット
80  PINFユニット
【図１】
2006148979.tif 000003
【図２】
2006148979.tif 000004
【図３】
2006148979.tif 000005
【図４】
2006148979.tif 000006
【図５】
2006148979.tif 000007
【図６】
2006148979.tif 000008
【図７】
2006148979.tif 000009
【図８】
2006148979.tif 000010
【図９】
2006148979.tif 000011
【図１０】
2006148979.tif 000012
【図１１】
2006148979.tif 000013
【図１２】
2006148979.tif 000014
【図１３】
2006148979.tif 000015
【図１４】
2006148979.tif 000016
【図１５】
2006148979.tif 000017
【図１６】
2006148979.tif 000018
【図１７】
2006148979.tif 000019
【手続補正書】
【提出日】平成18年3月17日(2006.3.17)
【手続補正１】
【補正対象書類名】特許請求の範囲
【補正対象項目名】全文
【補正方法】変更
【補正の内容】
【特許請求の範囲】
【請求項１】
ｎ（但し、ｎは１以上の整数）組の現用系高速伝送路と送受一組の予備系高速伝送路とを用いて対地側と信号の伝送を行う多重変換装置であって、
第１番目から第ｎ番目までのn台の現用系装置と１台の予備系装置とを備え、
前記各現用系装置は、
１組の現用系高速伝送路との間の信号の入出力インタフェースを担う高速伝送路インタフェースユニットと、送受一組の低速伝送路との間の信号の入出力インタフェースを担う、複数の低速伝送路インタフェースユニットと、高速伝送路インタフェースユニットが現用系高速伝送路から受信した高速信号を多重分離し前記各低速インタフェースユニットに低速伝送路に送信すべき信号として分配し、前記各低速伝送路インタフェースユニットが低速伝送路から受信した低速信号を多重化し、現用系高速伝送路に送信すべき高速信号として前記高速伝送路インタフェースユニットに送る多重変換ユニットと、前記多重変換ユニットに接続した第１中継ユニットとを備え、
前記予備系装置は、少なくとも、
１組の予備系高速伝送路との間の信号の入出力インタフェースを担う高速伝送路インタフェースユニットと、高速伝送路インタフェースユニットに接続した第２中継ユニットとを備え、
前記予備系装置の第２中継ユニットは第１番の現用系装置の第１中継ユニットに接続され、第ｍ番（但し、ｍは１からｎ−１の間の整数）の現用系装置の第１中継ユニットは第ｍ＋１番の第１中継ユニットに接続されており、
接続された前記各現用系装置の各第１中継ユニットと前記予備系装置の第２中継ユニットは、前記予備系高速伝送路の高速伝送路インタフェースユニットが前記予備系高速伝送路から受信した高速信号を、順次、任意の現用系装置の多重変換ユニットに、当該多重変換ユニットにおいて高速伝送路インタフェースで受信した高速信号に代えて多重分離の対象とすべき高速信号として中継し、任意の現用系装置の多重変換ユニットが多重化した高速信号を、前記予備系高速伝送路から送信すべき高速信号として前記予備系装置の高速伝送路インタフェースユニットに中継する転送システムを形成することを特徴とする多重変換装置。
【請求項２】
ｎ（但し、ｎは１以上の整数）組の現用系高速伝送路と送受一組の予備系高速伝送路とを用いて対地側と信号の伝送を行う多重変換装置であって、
第１番目から第ｎ番目までのｎ台の現用系装置と１台の予備系装置とを備え、
前記各現用系装置は、
１組の現用系高速伝送路との間の信号の入出力インタフェースを担う高速伝送路インタフェースユニットと、送受一組の低速伝送路との間の信号の入出力インタフェースを担う、複数の低速伝送路インタフェースユニットと、高速伝送路インタフェースユニットが現用系高速伝送路から受信した高速信号を多重分離し、前記各低速インタフェースユニットに低速伝送路に送信すべき信号として分配し、前記各低速伝送路インタフェースユニットが低速伝送路から受信した低速信号を多重化し、現用系高速伝送路に送信すべき高速信号として前記高速伝送路インタフェースユニットに送る多重変換ユニットと、前記多重変換ユニットに接続した第１中継ユニットとを備え、
前記予備系装置は、少なくとも、
１組の予備系高速伝送路との間の信号の入出力インタフェースを担う高速伝送路インタフェースユニットと、高速伝送路インタフェースユニットに接続した第２中継ユニットと、を備え、
前記予備系装置の第２中継ユニットと各現用系装置の各第１中継ユニットはリング状に順次接続されており、
リング状に接続された前記各現用系装置の各第１中継ユニットと前記予備系装置の第２中継ユニットは、前記リングに関して１回転方向に信号を転送する転送システムを形成し、当該転送システムは、前記予備系高速伝送路の高速伝送路インタフェースユニットが前記予備系高速伝送路から受信した高速信号を、任意の現用系装置の多重変換ユニットに、当該多重変換ユニットにおいて高速伝送路インタフェースで受信した高速信号に代えて多重分離の対象とすべき高速信号として中継し、任意の現用系装置の多重変換ユニットが多重化した高速信号を、前記予備系高速伝送路から送信すべき高速信号として前記予備系装置の高速伝送路インタフェースユニットに中継することを特徴とする多重変換装置。
【請求項３】
第１の対地側であるイースト側と第２の対地側であるウエスト側のそれぞれにつき、ｎ（但し、ｎは１以上の整数）組の現用系高速伝送路と送受一組の予備系高速伝送路とを用いて、対地側と信号の伝送を行う多重変換装置であって、
第１番目から第ｎ番目までのn台の現用系装置と１台の予備系装置とを備え、
前記各現用系装置は、
イースト側とウエスト側の各々送受１組の現用系高速伝送路との間の信号の入出力インタフェースを担う高速伝送路インタフェースユニットと、送受一組の低速伝送路との間の信号の入出力インタフェースを担う、複数の低速伝送路インタフェースユニットと、前記イースト側とウエスト側に関して逆側の送受２つの現用系高速伝送路間および現用高速伝送路と前記各低速伝送路との間の信号の交換を行う交換ユニットと、前記交換ユニットに接続した第１中継ユニットとを備え、
前記予備系装置は、少なくとも、
イースト側とウエスト側の各々送受１組の予備系高速伝送路との間の信号の入出力インタフェースを担う高速伝送路インタフェースユニットと、高速伝送路インタフェースユニットに接続した第２中継ユニットとを備え、
前記予備系装置の第２中継ユニットは第1番の現用系装置の第１中継ユニットに接続され、第ｍ番（但し、ｍは１からｎ−１の間の整数）の現用系装置の第１中継ユニットは第ｍ＋１番の第１中継ユニットに接続されており、
接続された前記各現用系装置の各第１中継ユニットと前記予備系装置の第２中継ユニットは、前記予備系高速伝送路の高速伝送路インタフェースユニットが前記予備系高速伝送路から受信した高速信号を、順次、任意の現用系装置の交換ユニットに、当該交換ユニットにおいて高速伝送路インタフェースで受信した高速信号に代えて交換の対象とすべき高速信号として中継し、任意の現用系装置の交換ユニットが高速伝送路インタフェースに向けて交換した高速信号を、前記予備系高速伝送路から送信すべき高速信号として前記予備系装置の高速伝送路インタフェースユニットに中継する転送システムを形成することを特徴とする多重変換装置。
【請求項４】
第１の対地側であるイースト側と第２の対地側であるウエスト側のそれぞれにつき、ｎ（但し、ｎは１以上の整数）組の現用系高速伝送路と送受一組の予備系高速伝送路とを用いて、対地側と信号の伝送を行う多重変換装置であって、
第１番目から第ｎ番目までのｎ台の現用系装置と１台の予備系装置とを備え、
前記各現用系装置は、
イースト側とウエスト側の各々送受１組の現用系高速伝送路との間の信号の入出力インタフェースを担う高速伝送路インタフェースユニットと、送受一組の低速伝送路との間の信号の入出力インタフェースを担う、複数の低速伝送路インタフェースユニットと、前記イースト側とウエスト側に関して逆側の送受２つの現用系高速伝送路間および現用高速伝送路と前記各低速伝送路との間の信号の交換を行う交換ユニットと、前記交換ユニットに接続した第１中継ユニットとを備え、
前記予備系装置は、少なくとも、
イースト側とウエスト側の各々送受１組の予備系高速伝送路との間の信号の入出力インタフェースを担う高速伝送路インタフェースユニットと、高速伝送路インタフェースユニットに接続した第２中継ユニットとを備え、
前記予備系装置の第２中継ユニットと各現用系装置の第１中継ユニットはリング状に順次接続されており、
リング状に接続された前記第２中継ユニットと各現用系装置の第１中継ユニットは、前記リングに関して１回転方向に信号を転送する転送システムを形成し、当該転送システムは、前記予備系高速伝送路の高速伝送路インタフェースユニットが前記予備系高速伝送路から受信した高速信号を、順次、任意の現用系装置の交換ユニットに、当該交換ユニットにおいて高速伝送路インタフェースで受信した高速信号に代えて交換の対象とすべき高速信号として中継し、任意の現用系装置の交換ユニットが高速伝送路インタフェースに向けて交換した高速信号を、前記予備系高速伝送路から送信すべき高速信号として前記予備系装置の高速伝送路インタフェースユニットに中継することを特徴とする多重変換装置。
【請求項５】
請求項１乃至４の何れか一項に記載の多重変換装置であって、
各中継ユニット間を接続する接続媒体として光伝送媒体を用いたこと、
を特徴とする多重変換装置。
【手続補正２】
【補正対象書類名】明細書
【補正対象項目名】全文
【補正方法】変更
【補正の内容】
【発明の詳細な説明】
【技術分野】
【０００１】
本発明は、ディジタル通信網において、複数の低速伝送路と高速伝送路との間のディジタル信号の多重化及び分離を行う固定多重変換装置や、たとえば、ADM(Add Drop Multiplexer)などのクロスコネクト機能を備えた回線編集装置などの、多重変換装置に関するものである。
【背景技術】
【０００２】
複数の低速伝送路と高速伝送路の間の多重変換を行う多重変換装置を用いた伝送システムとしては、図１３aに示すように複数の低速伝送路より受信した低速信号を時分割多重化し高速伝送路に高速信号として送信し、高速伝送路より受信した高速信号を複数の低速信号に多重分離し、各低速伝送路に送信する固定多重変換装置（以下、記号LTEで表す）をポイントツーポイントで接続したシステムが知られている。
また、このようなLTEを用いた伝送システムにおけるセルフヒーリングを行うための構成としては、両端のLTEの間に相互に逆方向に信号を伝送する２本一組の現用系の高速伝送路と、相互に逆方向に信号を伝送する２本一組の予備系の高速伝送路を設ける１：１構成と、両端のLTEの間に相互に逆方向に信号を伝送する２本一組の現用系の高速伝送路を複数組設け、この複数組の高速伝送路に対して共用される、相互に逆方向に信号を伝送する２本一組の予備系の高速伝送路を設ける１：n構成が知られている。
【０００３】
なお、本明細書中においては、現用系をW；Working で、予備系をP；Protectionで表し、２つの他の多重変換装置の間に接続する多重変換装置については、接続する２つの他の多重変換装置のうちの一方の多重変換装置側をE；Eastで、他方の多重変換装置側をＷ；Westで表すこととする。
【０００４】
さて、１：１、１：n構成のLTEにおいては、現用系の高速伝送路に障害が生じた場合には、信号の伝送に用いる高速伝送路を障害が生じた高速伝送路より予備系の高速伝送路に切り換えることによりセルフヒーリングを行うが、この切り替えの手法としては、図１３bに示すように、障害が生じた組の２本の高速伝送路の両方を予備系の２本の高速伝送路に切り換えるbi-directional切り替えの手法と、図１３cに示すように障害が生じた１本の高速伝送路のみを、その高速伝送路と同じ方向に信号を伝送する予備系の１本高速伝送路に切り換えるuni-directional切り替えの手法が知られている。
【０００５】
また、複数の低速伝送路と高速伝送路の間の多重変換を行う多重変換装置としては、図１４aに示すように、高速伝送路（E)より受信した高速信号の一部を複数の低速信号に多分離して各低速伝送路上に送信し、高速伝送路(E側；EAST側)より受信した高速信号の残りと、低速伝送路より受信した低速信号を時分割多重化して、他の高速伝送路（W側；WEST側)に送信するADMが知られている。
【０００６】
また、このようなADMを用いた伝送システムの構成としては、図１４bに示すようにLTEの間にADMを配置したリニア構成、図１４ｃに示すように複数のADMをリング状に高速伝送路で繋いだリング構成が知られている。
【０００７】
また、リニア構成には、先に説明したLTEの１：１構成、１：ｎ構成に対応して、図１５aに示すように図中のE側、W側それぞれについて、逆方向に信号を伝送する２本一組の現用系の高速伝送路と、相互に逆方向に信号を伝送する２本一組の予備系の高速伝送路を設ける１：１構成と、図１５bに示すようにE側、W側それぞれについて、相互に逆方向に信号を伝送する２本一組の現用系の高速伝送路を複数組設け、この複数組の高速伝送路に対して共用される、相互に逆方向に信号を伝送する２本一組の予備系の高速伝送路を設ける１：n構成が知られている。ここで、１：１、１:ｎ構成のリニア構成におけるADM のセルフヒーリングの際の現用系の高速伝送路から予備系の高速伝送路への切り替えは、前述した１：１、１:ｎ構成のLTEにおける切り替えと同様な切り替えをE側、W側それぞれについて行うことにより行われる。
【０００８】
一方、 ADMをリング状に繋いだリング構成としては、各ADM間を相互に逆方向に信号を伝送する２本一組の光ファイバ伝送路で接続する２fiber構成と、各ADM間に相互に逆方向に信号を伝送する２本一組の光ファイバ伝送路を２組設けた４fiber構成が提案されている。
【０００９】
また、４fiberのリング構成としては、図１６aに示すように各ADM間を接続する２組の光ファイバ伝送路のうちの一組を現用系として用い、残る一組を予備系として用いる４-Fiber BLSRが知られている。また、図１７aに示すような２fiberのリング構成としては、一回転方向に信号を伝送する光ファイバ伝送路を現用系として用い、逆回転方向に信号を伝送する光ファイバ伝送路を予備系として用いる２-Fiber UPSRと、光ファイバ伝送路単位に現用系、予備系を設定するのではなく、各光ファイバ伝送路上のタイムスロットの一部を現用系とし、残りのタイムスロットを予備系とする2-Fiber BLSRが知られている。
【００１０】
ここで、４-Fiber BLSR におけるセルフヒーリング時の現用系から予備系への切り替えの様子を図１６b、cに示す。図示するように、４-Fiber BLSR における障害箇所に隣接するADMが行う切り替えとしては、障害が生じた側の現用系の光ファイバ伝送路の組から障害が生じた側の予備系の光ファイバ伝送路の組への切り替えと（ｂ）、障害箇所と逆側の現用系の光ファイバ伝送路の組から障害箇所と逆側の予備系の光ファイバ伝送路の組への信号の流れの折り返し（ｃ）の２種類がある。
【００１１】
また、図１７bに２Fiber BLSRにおけるセルフヒーリング時の現用系から予備系への切り替えの様子を、図１７cに２fiber UPSRにおけるセルフヒーリング時の現用系から予備系への切り替えの様子を示す。
【００１２】
図示するように、２fiber BLSRにおける切り替えは、障害箇所に隣接するADMが、障害箇所と逆側の２つの光ファイバ伝送路の現用系のタイムスロットの信号の流れを障害箇所と逆側の２つの光ファイバ伝送路の予備系の予備系のタイムスロットに折り返すことにより行われる。なお、図１７bでは、＃１の光ファイバ伝送路のタイムスロットA-Fと＃２の光ファイバ伝送路のタイムスロットA-Fが現用系として用いられ、＃１の光ファイバ伝送路のタイムスロットG-Lと＃２の光ファイバ伝送路のタイムスロットG-Lが予備系として用いられている場合に、障害箇所に隣接するADM  A、Bが、＃１の光ファイバ伝送路のタイムスロットA-Fの信号の流れを＃２の光ファイバ伝送路のタイムスロットG-Lに折り返し、＃２の光ファイバ伝送路のタイムスロットA-Fの信号の流れを＃１の光ファイバ伝送路のタイムスロットG-Lに折り返している。
【００１３】
また、２Fiber UPSRの切り替えは、図１７ｃに示すように行われる。すなわち、各ADMは、現用系の光ファイバ伝送路と予備系の光ファイバ光伝送路の両方を用いて他のADMへ信号を伝送する。また、各ADMは、通常時には現用系の光ファイバ伝送路で受信した他のADMよりの信号を受け取って処理し、障害の発生によって他の特定のADMから現用系の光ファイバ伝送路を介して信号を受け取れなくなった場合には、予備系の光ファイバ伝送路で受信した当該他の特定のADMよりの信号を受け取って処理するようにするものである。
【００１４】
さて、以上に示したきたように、多重変換装置に要求される機能は、１：１構成に用いられるLTE、１：n構成に用いられるLTE、１：１のリニア構成に用いられるADM、１：nのリニア構成に用いられるADM、４Fiber BLSRに用いられる ADM、２Fiber BLSRに用いられる ADM、２Fiber UPSRに用いられる ADMで異なる。このため、従来は、伝送システムの構成毎に、当該伝送システム構成専用の装置としてLTE やADMが制作されていた。
【００１５】
【特許文献１】特願平８−１７０３０９
【発明の開示】
【発明が解決しようとする課題】
【００１６】
たとえば、運用後に伝送システムをより高度化するために、伝送システムの構成を変更したい場合がある。たとえば、伝送容量を拡大するために、１：１構成でポイントツーポイント接続したLTEを用いた伝送システムを、１：n構成でポイントツーポイント接続したLTEを用いた伝送システムに変更したい場合や、１：１構成でポイントツーポイント接続したLTEを用いた伝送システムを、接続地点の増加などに伴い２Fiber BLSRや４Fiber BLSRに変更したい場合などがある。
【００１７】
そして、従来は、各LTEやADMが変更前の伝送システムの構成専用の装置であるために、このような伝送システムの構成の変更の際には、LTEやADMを交換する必要があり、伝送システムの構成を変更する際の装置導入の負担は大きいという問題があった。そして、このLTEやADMを交換のために、一旦伝送システムがダウン状態、すなわち、正常に伝送を行うことができない状態に陥ってしまうことを避ることができなという問題もあった。
【００１８】
一方、近年の伝送システムの伝送容量の増加に伴い、多重変換装置の規模も大きなものとなり、たとえば、10Ｇの伝送容量を持つ光ファイバ伝送路を高速伝送路として使用するOC-192対応の多重変換装置を単一の架で構成することは困難となっている。ここで、架は多重変換装置を構成する電子基板などを収容する、電子基板間を接続するパターン配線を備えたケースであり、運搬、設置などの取り扱い上の要請より、その大きさには制限がある。このように、多重変換装置を単一の架で構成できず、複数の架で構成する場合には、架間で信号を送受する必要が生じる。しかし、架間の信号の送受には、信号の送受に電子基板上のパターンによる配線ではなく、ケーブルを使用する必要があることなどより、架内の信号送受とは異なり、信号数や信号速度の面からの制約が生じる。このため、たとえば、１：n構成のLTEなどにおいて、n本の現用系の高速伝送路と１本の予備系の高速側伝送路を単一のセレクタに入力し、当該セレクタで前述した現用系と予備系の切り替えを実施するような構成をとることは困難である。
【００１９】
そこで、本発明は、既存の伝送システムに利用されているLTEやADMなどの多重変換装置をアップグレードすることにより、伝送システムの構成を変更することができる多重変換装置の構成方法を提供することを目的とする。
【００２０】
また、本発明は、複数の架を用いて多重変換装置を構築するのに適した構成を備えた多重変換装置を提供することを目的とする。
【課題を解決するための手段】
【００２１】
本発明は前記目的達成のために、たとえば、ｎ（但し、ｎは１以上の整数）組の現用系高速伝送路と送受一組の予備系高速伝送路とを用いて対地側と信号の伝送を行う多重変換装置であって、
第１番目から第ｎ番目までのn台の現用系装置と１台の予備系装置とを備え、
前記各現用系装置は、
１組の現用系高速伝送路との間の信号の入出力インタフェースを担う高速伝送路インタフェースユニットと、送受一組の低速伝送路との間の信号の入出力インタフェースを担う、複数の低速伝送路インタフェースユニットと、高速伝送路インタフェースユニットが現用系高速伝送路から受信した高速信号を多重分離し前記各低速インタフェースユニットに低速伝送路に送信すべき信号として分配し、前記各低速伝送路インタフェースユニットが低速伝送路から受信した低速信号を多重化し、現用系高速伝送路に送信すべき高速信号として前記高速伝送路インタフェースユニットに送る多重変換ユニットと、前記多重変換ユニットに接続した第１中継ユニットとを備え、
前記予備系装置は、少なくとも、
１組の予備系高速伝送路との間の信号の入出力インタフェースを担う高速伝送路インタフェースユニットと、高速伝送路インタフェースユニットに接続した第２中継ユニットとを備え、
前記予備系装置の第２中継ユニットは第1番の現用系装置の第１中継ユニットに接続され、第ｍ番（但し、ｍは１からn-1の間の整数）の現用系装置の第１中継ユニットは第ｍ+１番の現用系装置の第１中継ユニットに接続されており、
接続された前記各現用系装置の各第１中継ユニットと前記予備系装置の第２中継ユニットは、前記予備系高速伝送路の高速伝送路インタフェースユニットが前記予備系高速伝送路から受信した高速信号を、順次、任意の現用系装置の多重変換ユニットに、当該多重変換ユニットにおいて高速伝送路インタフェースで受信した高速信号に代えて多重分離の対象とすべき高速信号として中継し、任意の現用系装置の多重変換ユニットが多重化した高速信号を、前記予備系高速伝送路から送信すべき高速信号として前記予備系装置の高速伝送路インタフェースユニットに中継する転送システムを形成することを特徴とする多重変換装置を提供する。
【００２２】
このような多重変換装置として構成した固定多重変換装置によれば、各装置間の中継ユニット間で順次予備系の高速伝送路に送受する高速信号を中継することにより、障害が生じた現用系高速伝送路に接続した現用系装置の多重変換ユニットまで、障害が生じた現用系高速伝送路の代替えとして予備系の高速伝送路を延長することができる。したがって、各装置間の接続に必要な信号線の容量は、予備系の高速伝送路の伝送容量相当の容量で足りる。
【発明を実施するための最良の形態】
【００２３】
以下、本発明の一実施形態について説明する。
【００２４】
さて、本実施形態では、光／電気、電気／光変換などの光ファイバ伝送路との間で信号の送受を行う１０Ｇインタフェース、信号のヘッダ処理を担うSOH、高速信号側セレクタであるSELH、高速信号側セレクタであるSELH(P)、高速信号側スイッチであるSWH、低速信号側スイッチであるSWL、架間での信号の送受を行うPINF、低速伝送路間の信号の交換を行う低速信号側セレクタであるSELLの８種類のユニットと、低速伝送路との間のインタフェースを担う１または複数種類のユニットLINFを用意し、これらの組み合わせで各種構成の伝送システムに対応するLTEやADMなどの多重変換装置を構築する。各ユニットは架に搭載された１または複数の電子基板で構成される。
【００２５】
なお、１０ＧインタフェースとSOHは、共に光ファイバ伝送路との間のインタフェースを担う高速インタフェースを構成する。したがって、１０ＧインタフェースとSOHは、一つの高速インタフェースユニットとして取り扱ってもよい。
【００２６】
また、本実施形態では、図１に示すように、５段のスロットを持つ架を用いて多重変換装置を構成する。各電子基板は、架に搭載されることにより架に備えられた配線に従って接続される。ここで、本実施形態の説明中において各スロットには、COM、HS1、HS2、LS1、LS2の名称を付して示す。
【００２７】
スロットCOMには、クロック生成や電源制御や系切り替え制御や保守制御などの処理を担う各種制御系を担う電子基板が搭載される。
【００２８】
まず、図２に、1:1構成でポイントツーポイント接続したLTEを構築した場合を示す。
【００２９】
図中aに示ように、この場合のLTEの構成は、２つの10Ｇインタフェースユニット１０a、bと、２つのSOHユニット20a、bと、２重化された２つのSELＨユニット30a、bと、二重化された複数組のSELLユニット40a、bと、２重化された複数組のLIFユニット50a、bによって構成される。また、図bには、各ユニットが搭載される架のスロットも示した。
【００３０】
このような構成のLTEにおいて、正常運用時には、10Gの伝送速度で信号を伝送する現用系の光ファイバ伝送路１００aから受信された光信号は現用系(W)の１０Gインタフェース１０aで受信され電気信号に変換された後、現用系のSOH２０aに送られ、所定のヘッダ処理が行われ、現用系のSELH30aに送られる。この信号は、現用系のSELH30aを介して現用系のSEL40aに送られ、多重分離され各タイムスロットの信号が各信号の送り先に応じた現用系の各LIF５０aに送られる。各現用系の各LIF５０aは、送られた信号を低速信号に変換して低速伝送路３００に送信する。
【００３１】
また、これとは逆に、各現用系の各LIF５０aが低速伝送路300から受信した信号は、現用系のSELL40ａで時分割多重化され、現用系のSELH30aに送られ、現用系のSOH20a、予備系のSO２０bの双方に送られてヘッダ処理され、現用系の１０Gインタフェース部１０ａ，予備系の１０Ｇインタフェース部１０ｂ送られ、光信号に変換された後、各々現用系の送信側光ファイバ伝送路１００ａと予備系の送信側光ファイバ伝送路２００ａに送信される。すなわち、現用系と予備系の送信側光ファイバ伝送路１００ｂ、200ｂには低速伝送路３００から受信した信号を時分割多重化した同じ信号が送信される。したがって、実際には、通常動作時においても、各ＬＴＥは、現用系の光ファイバ伝送路１００ａと予備系の光ファイバ伝送路２００ｂから全く同じ信号を受信している。また、この信号は、予備系のSOH20bでヘッダ処理され、現用系と予備系のSELHに入力している。
【００３２】
さて、このような構成において、現用系のある光ファイバ伝送路に障害が生じた場合には、当該光ファイバ伝送路から信号を受信しているLTEにおいて次のような切り替え処理を行う。
【００３３】
すなわち、現用系のSELH３０aにおいて、現用系のSOH20aから受信した信号に代えて予備系のSOHから受信した信号を選択し現用系のSELL40aに送る。前述したように、現用系の光ファイバ伝送路１００ａと予備系の光ファイバ伝送路２００ｂから全く同じ信号を受信しているので、これで先に図１３ｂに示した現用系、予備系の切り替えが完了する。
【００３４】
さて、いま、このような１：１構成のLTEを、2Fiber BLSRのADM、2FIber UPSR のADMにグレードアップする場合について説明する。
【００３５】
ここで、2Fiber BLSRのADM、2FIber UPSR のADMは同じ構成で実現することができる。図３aに、このADMの構成を、図３bに、各ユニットが搭載される架を示す。
【００３６】
図より、理解されるように、この場合のADMへのグレードアップは、図１に示したLTEの構成中の二重化された２つのSELH30a 、30bを、二重化された２つのSWH60ａ、60ｂに交換し、LTEの構成中の二重化された２つのSELL40a、40bを二重化された２つのSWL70a、70bに交換することにより実現される。ここで、SELHと、ＳＷＨは、架との信号線のインタフェースが共通化されており、SELHを構成する電子基板を架より取り外し、SWHを構成する電子基板を架に搭載することにより両者は交換することができる。
【００３７】
さて、２Fiber UPSRの ADMの動作は、次のようになる。
【００３８】
いま、Ｗ側の光ファイバ伝送路１１０ａとE側の光ファイバ伝送路１２０ａが現用系であり、Ｗ側の光ファイバ伝送路１１０ｂとE側の光ファイバ伝送路１２０ｂが予備系であるとすると、通常時、W側光ファイバ伝送路１１０ａから入力した各タイムスロットの信号は、１０Ｇインタフェース１０ａ、SOH２０ａを介してSWH60aに入力し 、各タイムスロットの信号の宛先に応じてSWL70aと、SOH２０ｂに交換される。そして、SWL70aに送られた各信号はLIF50ａに交換される。また、LIF50ａからの信号は、SWL70a を介して、SWH60a に入力し、SOH２０ａ、２０ｂに交換される。また、SWH60a には、１０Ｇインタフェース１０ｂ、SOH20bを介してE側の光ファイバ伝送路１２０ｂからの信号も入力しており、SWH60aは、各タイムスロットの信号を、その宛先に応じてSOH２０ｂに交換する。SOH20a 、20b に、SELＨ６０ａから交換された信号は、各々１０Ｇインタフェース１０ａ、１０ｂに送られ、光ファイバ伝送路１１０ｂ、１２０ａに送信される。
【００３９】
このような構成において、たとえば、障害が生じ、現用系の光ファイバ伝送路より構成されるリング上の信号の流れに関して障害箇所より上流にあるADMよりの信号をW側の光ファイバ伝送路１１０ａより受信できなくなった場合、ADMのSWH60aは、これら障害箇所より上流にあるADMよりの信号については、SOH20a から受け取った信号に代えて、SOH２０ｂから受け取った信号を、SWLへの交換の対象とする。
【００４０】
このような動作を各ADMが実施することにより図１７ｃに示したセルフヒーリングが実現される。
【００４１】
次に、２Fiber BLSRの場合の図３の構成を備えたADMの動作は次のようになる。
【００４２】
すなわち、伝送路間の各信号の流れがより明確となるようにSWH６０ａの動作と伝送路間の各信号の流れの関係を中心に、他部の動作を省略して説明すると、通常時は、ADMおいて、両側の受信側光ファイバ伝送路１１０a、1２０ｂから入力した信号は、SWH６０ａに入力する。入力した信号のうちの現用系のタイムスロットの信号は、SWH６０ａによって、低速伝送路、もしくは、光ファイバ伝送路１１０ｂ，１２０ａの現用系のタイムスロットに交換される。また、低速伝送路から入力した信号は、SWH60aによって、光ファイバ伝送路１１０ｂ，１２０ａの現用系のタイムスロットに交換される。また、両側の受信側光ファイバ伝送路１１０a、1２０ｂから入力した予備系のタイムスロットの信号は、SWH60a によって、反対側の光ファイバ伝送路１１０ｂ，１２０ａ、１２０ｂ、１１０ａの予備系のタイムスロットに中継される。
【００４３】
一方、セルフヒーリング時は、障害が生じた現用系の光ファイバ伝送路に隣接する２つのADMにおいて、SWH60a は、予備スロット間の信号の中継を取りやめ、障害が生じた現用系の光ファイバ伝送路の現用系のタイムスロットに交換していた信号を、障害が生じた現用系の光ファイバ伝送路と反対方向に当該ADMからの信号を伝送する光ファイバ伝送路の予備系のタイムスロットに交換するようにする。また、障害が生じた現用系の光ファイバ伝送路の現用系のタイムスロットから受信した信号に代えて、障害が生じた現用系の光ファイバ伝送路と反対方向に信号を当該ADMに伝送する光ファイバ伝送路の予備系のタイムスロットから受信した信号を、低速伝送路および障害が生じた現用系の光ファイバ伝送路と反対方向に当該ADMからの信号を伝送する光ファイバ伝送路の現用系のタイムスロットへの交換の対象とするようにする。
【００４４】
この動作によって、図１７ｂに示したセルフヒーリング時の切り替え動作が実現される。
【００４５】
次に、図２に示した１：１構成のLTEを、１：ｎ構成のLTEにアップグレードする場合について説明する。
【００４６】
図４aに１：ｎ構成のLTEの構成を、図４ｂに各ユニットが搭載される架を示す。
【００４７】
図示するように、この場合のLTEは、予備系の光ファイバ伝送路２００ａ、ｂが接続された１個の予備系処理用の架と、各々一つの現用系の光ファイバ伝送路100ａ、１００ｂ，１１０ａ、１１０ｂ、...、１ｎ０ａ、1n0bが接続されたｎ個の現用系処理用の架で構成される。
【００４８】
また、各架は１：ｎ構成のLTEの機能的な単位であるベイを構成している。ｎ個の現用系処理用のベイ310、320...は、図１に示した１：１構成のLTEから、予備系の１０Ｇインタフェース１０ｂを取り外し、予備系のSOH20bをPINF80に交換した構成となっている。また、予備系処理用のベイ300は、現用系処理用の架の二重化された２つのSELHを二重化された２つのSELH（Ｐ）90に置き換えた構成となっている。
【００４９】
ここで、SOH20を構成する各電子基板とPINF80を構成する各電子基板の、架との信号線のインタフェースは共通化されており、SOH20を構成する電子基板を架より取り外し、PINF80を構成する電子基板を架に搭載することにより両者は交換することができる。また、SELH30を構成する各電子基板とSELH(P)90を構成する各電子基板の、架との信号線のインタフェースは共通化されており、SELH30を構成する電子基板を架より取り外し、SELH(P)90を構成する電子基板を架に搭載することにより両者は交換することができる。本実施形態では、１：１構成のLTEを現用系処理系のベイの一つにアップグレードし、１：ｎ構成のＬＴＥを構成する他のベイは新たに導入することにより、１：１構成のLTEを１：ｎ構成のＬＴＥにアップグレードする。
【００５０】
さて、図４のLTEにおける現用系処理系の各ベイの通常時の動作は、前述した１：１構成のLTEの動作と同様であり、各々、接続した現用系の光ファイバ伝送路と低速伝送路との間の多重変換を行う。ただし、１：ｎ構成のLTEにおいて、通常時は予備系の光ファイバ伝送路２００ａ、２００ｂへの信号の送信は行わない。
【００５１】
さて、このような構成において、たとえば、現用系のベイ３２０に接続した受信側の光ファイバ伝送路１１０ａに障害が発生した場合を考える、この場合、予備系処理用のベイ300のSELH(P)90は、１０Ｇインタフェース１０、SOH20を介して受信した予備系の光ファイバ伝送路２００ｂからの信号をPINF80に送る。この信号は、PINF80で、たとえば各々１５０Ｍの低速な信号に変換された後、架間を接続する光インターコネクトを介して、ベイ３１０のPINF80に送られる。ベイ３１０のPINF80はベイ３００から送られた信号をベイ３２０のPINFに中継する。ベイ３２０のPINF80はベイ３１０から送られた信号をSELH30に送信する。ベイ３２０のSELH30は、SOH20から送られた信号に代えてPINF80から送られた信号を選択してSELL40に送る。
【００５２】
また、これとは逆に、現用系のベイ３２０に接続した送信側の光ファイバ伝送路１２０ｂに障害が発生した場合、ベイ３３０のSELH30は、SOH20に代えてPINF80に信号を送る。この信号を、PINF90は、ベイ３１０のPINF90に送る。ベイ３１０のPINF8０はベイ３２０から送られた信号をベイ３００に中継する。この信号を受け取ったベイ３００のPINF80は、この信号をシリアル信号に変換して、SELH(P)90に送る。SELH(P)90は、PINF80から送られた信号をSOH20に送る。この信号は、予備系の光ファイバ伝送２００ｂから送信する。
【００５３】
すなわち、PINF80によって、予備系の光ファイバ伝送路が、障害が生じた現用系の光ファイバ伝送路に接続する現用処理系のベイまで延長される構成となっている。
【００５４】
以上の動作を、障害が生じた現用系の光ファイバ伝送路の両端のLTEが行うことにより、図１３ｂのuni direction切り替えが実現される。
【００５５】
また、図１３ｃのbi direction切り替えは、同じ現用系処理用のベイに接続した送信側、受信側双方の光ファイバ伝送路に障害が生じた場合のuni direction切り替えと同じ動作によって実現される。
【００５６】
ただし、図５に示すように、各ベイのPINF80をリング状の接続する構成によって、bi diretion切り替えを実現するようにしてもよい。
【００５７】
この構成では、PINF80による予備系の受信側光ファイバ伝送路の、障害が生じた現用系の光ファイバ伝送路に接続する現用処理系のベイまで延長と、PINF80による予備系の送信側光ファイバ伝送路の、障害が生じた現用系の光ファイバ伝送路に接続する現用系処理用のベイまで延長は異なる経路を用いて行われる。たとえば、図示するように、予備系の受信側光ファイバ伝送路200ａのベイ３２０までの延長はベイ３００、３１０のPINF80を介して行うが、予備系の送信側光ファイバ伝送路200ｂのベイ３２０までの延長はベイ320、330...3ｎ0、300のPINF80を介して行う。
【００５８】
このリング状の構成は、各架間を接続する信号線数を少なく押さえられるなど、ハードウェアウエア量が少なく押さえられるという利点がある。
【００５９】
次に、図３に示した、2Fiber BLSRのADM、2FIber UPSR のADMを、４Fiber BLSRのADMにアップグレードする場合について説明する。
【００６０】
この場合のADMの構成を図６aに、各ユニットが搭載される架を図６ｂに示す。
【００６１】
図示するように、この場合のADMは、現用系の光ファイバ伝送路1１0ａ、ｂ１２０ａ、ｂが接続された現用系処理用の架と、予備系の光ファイバ伝送路２００ａ、ｂ、２１０ａ、ｂが接続された予備系処理用の架で構成される。各架に相当するベイは、図３に示した2Fiber BLSRのADM、2FIber UPSR のADMと同じ構成である。したがって、この場合のアップグレードは、たとえば、既設の2Fiber BLSRまたは2FIber UPSR のADMを４Fiber BLSRのADMの一つのベイとし、新たにもう一つの同構成のベイを導入し、両者のSWH60a、 60b間を光インターコネクトで接続することにより行う。なお、2Fiber BLSRまたは2FIber UPSR のADMに１：１構成のLTEをアップグレードできることよりも理解されるように、１：１構成のLTEを４Fiber BLSRのADMにアップグレードすることも可能である。
【００６２】
さて、図６のADMの動作は次のようになる。
【００６３】
すなわち、伝送路間の各信号の流れがより明確となるようにSWH６０ａの動作と伝送路間の各信号の流れの関係を中心に、他部の動作を省略して説明すると、通常時は、現用系のベイ４００において、両側の受信側光ファイバ伝送路１１０a、1２０ｂから入力した信号は、SWH６０ａに入力する。入力した各タイムスロットの信号は、SWH６０ａによって、低速伝送路、もしくは、反対側の光ファイバ伝送路１１０ｂ，１２０ａのタイムスロットに交換される。また、低速伝送路から入力した信号は、SWH60aによって、光ファイバ伝送路１１０ｂ，１２０ａのタイムスロットに交換される。
【００６４】
また、予備系処理用のベイ４１０のSWH60aは、光ファイバ伝送路２００aから受け取った信号を、そのまま光ファイバ伝送路２１０ａに中継し、光ファイバ伝送路２10ｂから受け取った信号を、そのまま光ファイバ伝送路２１０ｂに中継する。
【００６５】
セルフヒーリング時、たとえば、E側の現用系の光ファイバ伝送路１２０a、120bに障害が生じた場合には、現用系処理用のベイ４００のSWH６０aは、 現用系の光ファイバ伝送路１２０aに向かって交換していた信号を予備系処理用のベイ４１０のSWH60aに送る。また、現用系の光ファイバ伝送路１２０ｂから受け取っていた信号に代えて、予備系処理用のベイ４１０から受け取った信号を交換の対象とするようにする。一方、予備系処理用のベイ４１０のＳＷＨ６０ａは、前述した予備系の光ファイバ伝送路間の中継動作を取りやめ、図１６bに示した切り替えを行う場合には、ベイ４００から受け取った信号を、光ファイバ伝送路２00ｂに交換し、光ファイバ伝送路２00ａから受け取った信号をベイ４００のSWH60に送る。また、予備系処理用のベイ４１０のＳＷＨ６０ａは、前述した予備系の光ファイバ伝送路間の中継動作を取りやめ、図１６ｃに示した切り替えを行う場合には、ベイ４００から受け取った信号を、光ファイバ伝送路２1０ａに交換し、光ファイバ伝送路２10ｂから受け取った信号をベイ４００のSWH60に送る。
【００６６】
以上の動作を、障害箇所に隣接するADMが実施することにより、図１６ｂ、ｃに示したセルフヒーリングが実現される。
【００６７】
次に、図３に示した、2Fiber BLSRのADM、2FIber UPSR のADMを、１：１のリニア構成のADMにアップグレードする場合について説明する。
【００６８】
この場合のADMの構成を図７aに示す。
【００６９】
図示するように、この場合のADMは図６に示した４Fiber BLSRの場合のADMの構成と同じとなる。したがって、アップグレードも同様なユニットの交換によって行うことができる。また、前述したように、この構成は、１：１構成のLTEをアップグレードすることにより構成することも可能である。
【００７０】
また、その通常時の動作も、４Fiber BLSRの場合と同様である。また、図１５ｂに示したセルフヒーリング時の動作は、４Fiber BLSRの場合において、図１６ｂの切り替えの動作を行う場合と同様である。
【００７１】
最後に、１：ｎのリニア構成をとるADMにアップグレードする場合について説明する。
【００７２】
この場合のADMの構成を図８に示す。
【００７３】
図示するように、この場合のADMは、図７aに示した１：１のリニア構成のADMを構成する架の一方の２つの１０Gインタフェース１０a、ｂを省略し、２つのSOH20ａ、ｂを、２つのPINF80a 、ｂに交換した構成の架をイーストベイ810、残る一方の架をウエストベイ811とした、イーストベイ、ウエストベイの組であるベイセット800〜80ｎを、予備系用一個と、現用系n組の計１+ｎ個設け、各ベイセットのPINF80a 、ｂを、予備系用のベイセット800が端となるようにチェイン状に順次接続した構成を有している。
【００７４】
したがって、このADMの複数のベイセットのうちの一つは１：１のリニア構成のADMを利用して構築することができる。また、図８aより理解されるように、各イーストベイは、１：ｎ構成のLTEの各ベイの１０Ｇインタフェースを省略し、SELHをSWHに、SOHをPINFに、SELLをSWLに交換し、交換したPINFを順次接続した構成となっている。したがって、１：ｎのリニア構成のADMは、１：ｎ構成のLTEからアップグレードすることもできる。
【００７５】
さて、予備系のベイセット800には、イースト側、ウエスト側各々につき、送受各一本の予備系の光ファイバ伝送路が接続する。また、現用系のｎ個のベイセット801〜80ｎの各々は、イースト側、ウエスト側各々につき、送受各一本の現用系の光ファイバ伝送路が接続する。
【００７６】
通常時、各現用系のベイセット800のウエストベイが、前述した１：１のリニア構成のADMの現用系のベイの動作と同じ動作を行う。これにより、n本の現用系伝送路を用いたADM 間もしくはADMとLTE  間の伝送が実現される。
【００７７】
一方、セルフヒーリング時、たとえば、２番目の現用系用のイベイセットのウエスト側光ファイバ伝送路に障害が生じた場合は、前述した１：ｎ構成のLTEの場合と同様に、予備系用のベイセットのウエストベイの１０Ｇインタフェース、SOH、ＳＷＨ、予備系用のベイセットのイーストトベイのSWH、PINF、１番目の現用系ベイセットのイーストベイのPINF、２番目の現用系のベイセットのイーストベイの現用系のPINF、SWHの順に２番目の現用系のベイセットのウエストベイのSWHの順に信号を中継することにより、ウエスト側の予備系光ファイバ伝送路が２番目の現用系のベイセットのウエストベイのSWHまで延長される。そして、２番目の現用系のベイセットのウエストベイのSWHよって、障害が生じたウエスト側光ファイバ伝送路の代わりに用いられる。
【００７８】
このような動作を障害が生じた光ファイバ伝送路の両端のADMが行うことにより、現用系光ファイバ伝送路から予備系光ファイバ伝送路への切り替えが実現される。
【００７９】
なお、図８における各ベイセットの接続を、先に図５に示した1:n構成のLTEのように、リング状に行うようにし、予備系の光ファイバ伝送路の各ベイセットへの延長を、リングの上を一回転方向にのみ信号を中継することにより行うようにしてもよい。たとえば、２番目の現用系用のイベイセットのウエスト側光ファイバ伝送路に障害が生じた場合は、前述した１：ｎ構成のLTEの場合と同様に、予備系用のベイセットのウエストベイの１０Ｇインタフェース、SOH、ＳＷＨ、予備系用のベイセットのイーストトベイのSWH、PINF、１番目の現用系ベイセットのイーストベイのPINF、２番目の現用系のベイセットのイーストベイの現用系のPINF、SWHに、２番目の現用系のベイセットのウエストベイのSWHの順に信号を転送することにより、ウエスト側の受信側の予備系光ファイバ伝送路を２番目の現用系のベイセットのウエストベイのSWHまで延長する。また、２番目の現用系のベイセットのウエストベイの現用系のSWH、２番目の現用系のベイセットのイーストベイの現用系のSWH、PINF、３番目の現用系のベイセットのイーストベイの現用系のPINF、...、ｎ番目の現用系のベイセットのイーストベイの現用系のPINF、予備系用のベイセットのイーストベイのPINF、SWH、予備系用のベイセットのウエストベイのSWH、SOH、１０Ｇインタフェースの順に信号を中継することにより、ウエスト側の送信側の予備系光ファイバ伝送路を２番目の現用系のベイセットのウエストベイの現用系のSWHまで延長する。
【００８０】
以上のように、本実施形態によれば、既存の多重変換装置の構成を利用しながら、多重変換装置のアップグレードが可能である。また、先に示してきたように、１：１構成のＬＴＥ、2Fiber BLSR／2FIber UPSR のADMの各ユニットの構成は全て二重化されている。従って、アップグレードの際には、二重化された２つの系統の片方の系統づつ必要なユニットの交換を行い、交換中は他方の系統を使用することによって伝送システムの運用を継続することができる。
【００８１】
ただし、前述したSELH、SELH(P)、SWHにおける処理のために生じるSELH、SELP、SWHの入出力信号の間の遅延時間に差があると、この使用する系統の切り替え時に信号の喪失や重複などの不具合が生じてしまうことになる。
【００８２】
そこで、本実施形態では、図９ａに示すようにSELHを構成し、図９ｂに示すようにSELH(P)を構成することにより、これらのユニットにおける遅延時間を一致させている。
【００８３】
ここで、SWHのようなタイムスロット信号の交換を行うスイッチは、図１０に示すような、メモリ900と、入来する各タイムスロットの信号をシーケンシャルにメモリに書き込む書き込み回路901と、図示しない制御装置から設定された順序でメモリから各タイムスロットの信号を読み出す読み出し回路902とによって信号のタイムスロットの交換を行っている。このため、通常はタイムスロット番号数分相当の時間以上の遅延時間が生じる。この遅延時間は、SELHや、SELＨ（Ｐ）などのような選択動作を行うセレクタにおける遅延時間よりも一般に大きい。
【００８４】
そこで、本実施形態では、図９に示すように、SELH、SELH(P)に信号の遅延時間を調整するための遅延回路３00を設けた。遅延回路３00は、図１１に示すように、入来する各タイムスロットの信号を書き込むメモリ３０１のアドレスをシーケンシャルに生成するシーケンシャルカウンタ３０２と、シーケンシャルカウンタのカウント値に調整したい時間分のオフセットを加えて読み出しアドレスとするデコーダ303より構成される。このような遅延回路300によれば、信号をメモリに書き込んでから読み出すまでの時間をデコーダ303が加えるオフセット値を適当に設定することにより調整することができる。
【００８５】
なお、図９ａにおいて、３１０が、現用系のSOHから送られた信号と、予備系のSOHまたはPINFから信号とのどちらを、SELLに送るのかを選択するセレクタである。
【００８６】
また、図９ｂにおいて、３２０が、PINFから送られてきた信号を予備系の光ファイバー伝送路に送るためのセレクタである。
【００８７】
なお、図９に示したSELH、SELH(P)としては、図１２に示すような３つのセレクタ331、332、333を備えたユニットを共用して用いることができる。この場合、SELH(P)として用いる場合には、セレクタ３０１、３０２の選択は図９ｂと同じ信号の流れを形成するように固定化し、SELHとして用いる場合は、セレクタ３０２、３０３の選択は図９ａと同じ信号の流れを形成するように固定化する。
【００８８】
なお、本実施形態に係る光ファイバ伝送路のインタフェースフレームの構成としては、伝送速度51.84Mb/s、もしくは、伝送速度51.84Mb/sの倍数の伝送速度を有するSONET OC-Nフレーム構成や、伝送速度155.52Mb/s、もしくは、伝送速度155.52Mb/sの倍数の伝送速度を有する、ITU勧告において規定されたSDHハイアラーキーにおけるSTM-Nフレーム構成を用いることができる。
【００８９】
以上説明してきたように、本実施形態によれば、既存の多重変換装置の構成を利用しながら多重変換装置をアップグレードすることができる。
【００９０】
また、先に示した１：ｎ構成のＬＴＥの場合のように、複数の架で多重変換装置を構成し、現用系、予備系の切り替えを行う場合に、架間で送受する必要のある信号の容量を比較的低く押さえることができる。
【００９１】
以上のように、本発明によれば、既存の伝送システムに利用されているLTEやADMなどの多重変換装置をアップグレードすることにより、伝送システムの構成変更することができる多重変換装置の構成方法を提供することができる。
【００９２】
また、本発明は、複数の架を用いて多重変換装置を構築するのに適した構成を備えた多重変換装置を提供することができる。
【図面の簡単な説明】
【００９３】
【図１】多重変換装置に用いる架の構成を示した図である。
【図２】１：１構成のLTEの構成を示した図である。
【図３】2Fiber UPSR / BLSRに適用されるADMの構成を示した図である。
【図４】１：ｎ構成のLTEの構成を示した図である。
【図５】１：ｎ構成のLTEの構成を示した図である。
【図６】４Fiber BLSRに適用されるADMの構成を示した図である。
【図７】１：１のリニア構成のADMの構成を示した図である。
【図８】１：ｎのリニア構成のADMの構成を示した図である。
【図９】SELHユニット、SELH(P)ユニットの構成を示した図である。
【図１０】メモリを用いてタイムスロットの交換を行う回路の構成を示した図である。
【図１１】遅延回路の構成を示した図である。
【図１２】SELHユニット、SELH(P)ユニットとして共用できるユニットの構成を示した図である。
【図１３】LTEを用いた伝送システムの構成を示した図である。
【図１４】ADMを用いた伝送システムの構成を示した図である。
【図１５】LTEにおける高速伝送路の現用系から予備系への切り替えのようすを示した図である。
【図１６】４Fiber BLSRにおける高速伝送路の現用系から予備系への切り替えのようすを示した図である。
【図１７】２Fiber UPSRと２Fiber BLSRにおける高速伝送路の現用系から予備系への切り替えのようすを示した図である。
【符号の説明】
【００９４】
10  10Ｇインタフェースユニット
20  SOHユニット
30  SELＨユニット
40  SELLユニット
50  LIFユニット
60  SWHユニット
70  SWLユニット
80  PINFユニット